(57)【要約】  本出願の実施形態は、情報処理方法、通信デバイス、システム、および記憶媒体を提供する。この方法は、ネットワークデバイスによって、アップリンク基準信号の第1の構成情報を生成するステップであり、第1の構成情報は、アップリンク基準信号リソースと第1の情報との間の第1のマッピング関係を含み、第1の情報は、位置測定ユニットLMUのダウンリンク基準信号に関する情報であり、LMUは、サービング基地局以外のLMUである、生成するステップと、ネットワークデバイスによって、第1の構成情報を端末に送信するステップとを含む。端末は、第1の構成情報によって示されるように、構成されたアップリンク基準信号リソース上で測位信号を送信することができ、その結果、アップリンク基準信号リソースに対応する第1の情報に対応するLMUは、測位信号を受信することができ、それによって、NRシステムにおいてUTDOA測位を実施する。
2022501949.tif 000002
【特許請求の範囲】
【請求項１】
情報処理方法であって、
ネットワークデバイスによって、アップリンク基準信号の第1の構成情報を生成するステップであり、前記第1の構成情報は、アップリンク基準信号リソースと第1の情報との間の第1のマッピング関係を含み、前記第1の情報は、位置測定ユニットのダウンリンク基準信号に関する情報であり、前記位置測定ユニットは、サービング基地局以外の位置測定ユニットである、生成するステップと、
前記ネットワークデバイスによって、前記第1の構成情報を端末に送信するステップと
を含む情報処理方法。
【請求項２】
前記方法は、
前記ネットワークデバイスによって、第2の構成情報を測位エンティティに送信するステップであり、前記第2の構成情報は、前記アップリンク基準信号リソースと前記位置測定ユニットとの間の第2のマッピング関係を含む、送信するステップ
をさらに含む、請求項1に記載の方法。
【請求項３】
前記第1の情報は、前記端末によって測定された前記位置測定ユニットの前記ダウンリンク基準信号の番号情報またはインデックス情報である、請求項1または2に記載の方法。
【請求項４】
前記方法は、
前記測位エンティティによって送信された、前記端末についての測位要求情報を、前記ネットワークデバイスによって受信するステップ
をさらに含む、請求項1から3のいずれか一項に記載の方法。
【請求項５】
前記測位要求情報は、前記位置測定ユニットの識別情報を保持する、請求項4に記載の方法。
【請求項６】
前記方法は、
前記ネットワークデバイスによって、第1の測定情報を前記端末に送信するステップであり、前記第1の測定情報は、前記第1の情報を取得するために、前記位置測定ユニットの前記識別情報に基づいて、前記位置測定ユニットに関する情報を測定するように、前記端末に指示するために使用される、送信するステップと、
前記ネットワークデバイスによって、前記端末によって送信された前記第1の情報を受信するステップと
をさらに含む、請求項5に記載の方法。
【請求項７】
前記位置測定ユニットの前記識別情報は、
物理セル識別子PCIと、
セルグローバル識別子ECGIと、
周波数と、
アップリンク補助帯域SULがサポートされているかどうかと
のうちの少なくとも1つを含む、請求項5または6に記載の方法。
【請求項８】
前記方法は、
前記ネットワークデバイスによって、第2の測定情報を前記端末に送信するステップであり、前記第2の測定情報は、前記第1の情報を取得するために、前記端末によって検出可能なすべての位置測定ユニットに関する情報を測定するように、前記端末に指示するために使用される、送信するステップと、
前記ネットワークデバイスによって、前記端末によって送信された前記第1の情報を受信するステップと
をさらに含む、請求項1から4のいずれか一項に記載の方法。
【請求項９】
前記方法は、
前記ネットワークデバイスによって、前記端末によって報告された前記第1の情報が履歴測定情報に存在するかどうかを検出するステップであり、前記履歴測定情報は、前記端末によって以前に測定され、前記ネットワークデバイスに送信された測定情報である、検出するステップと、
前記端末によって報告された前記第1の情報が前記履歴測定情報に存在する場合、前記ネットワークデバイスによって、前記端末によって報告され、前記履歴測定情報に記録された前記第1の情報を取得するステップと、
前記端末によって報告された前記第1の情報が前記履歴測定情報に存在しない場合、前記ネットワークデバイスによって、前記第1の情報を取得するために、前記位置測定ユニットを検出し、前記検出された位置測定ユニットに関する情報を測定するように、前記端末に指示するステップと
をさらに含む、請求項1から8のいずれか一項に記載の方法。
【請求項１０】
前記位置測定ユニットは、前記端末によって測定されたすべての前記位置測定ユニットの一部であり、前記位置測定ユニットの信号強度は、あらかじめ設定された信号強度しきい値以上である、請求項1から8のいずれか一項に記載の方法。
【請求項１１】
前記方法は、
前記ネットワークデバイスによって、位置測定ユニットの数が、測位測定に必要な位置測定ユニットの最小数以上であるかどうかを決定するステップと、
位置測定ユニットの前記数が前記最小数未満である場合、前記ネットワークデバイスによって、通知メッセージを前記測位エンティティに送信するステップであり、前記通知メッセージは、前記端末の現在の位置が測位条件を満たさないことを前記測位エンティティに通知するために使用される、送信するステップと
をさらに含む、請求項1から10のいずれか一項に記載の方法。
【請求項１２】
前記第2の構成情報は、前記第1のマッピング関係をさらに含む、請求項2に記載の方法。
【請求項１３】
前記第1の構成情報は、前記アップリンク基準信号リソースと前記位置測定ユニットとの間の前記第2のマッピング関係をさらに含む、請求項1から12のいずれか一項に記載の方法。
【請求項１４】
情報処理方法であって、
測位エンティティによって、端末についての測位要求情報をネットワークデバイスに送信するステップと、
前記測位エンティティによって、第2の構成情報を受信するステップであり、前記第2の構成情報は、アップリンク基準信号リソースと位置測定ユニットとの間の第2のマッピング関係を含み、前記アップリンク基準信号リソースは、前記端末のために前記ネットワークデバイスによって構成される、受信するステップと、
前記測位エンティティによって、前記第2の構成情報に基づいて、候補位置測定ユニットの中でターゲット位置測定ユニットを決定するステップと、
前記測位エンティティによって、測定構成情報を前記ターゲット位置測定ユニットに送信するステップであり、前記測定構成情報は、前記アップリンク基準信号リソースを保持する、送信するステップと、
前記測位エンティティによって、アップリンク基準信号のものであり、前記アップリンク基準信号リソース上で前記ターゲット位置測定ユニットによって測定された受信モーメントを受信するステップと、
前記測位エンティティによって、前記受信モーメントに基づいて前記端末を測位するステップと
を含む情報処理方法。
【請求項１５】
測位エンティティによって、端末についての測位要求情報をネットワークデバイスに送信する前記ステップは、
前記端末の地理的位置に基づいて、前記測位エンティティによって、前記端末に対する測位測定を実行するための前記候補位置測定ユニットを決定するステップと、
前記測位エンティティによって、前記測位要求情報を前記ネットワークデバイスに送信するステップであり、前記測位要求情報は、前記位置測定ユニットの識別情報を保持する、送信するステップと
を含む、請求項14に記載の方法。
【請求項１６】
前記候補位置測定ユニットの前記識別情報は、
物理セル識別子PCIと、
セルグローバル識別子ECGIと、
周波数と、
アップリンク補助帯域SULがサポートされているかどうかと
のうちの少なくとも1つを含む、請求項15に記載の方法。
【請求項１７】
前記第2の構成情報は、前記アップリンク基準信号リソースと第1の情報との間の第1のマッピング関係をさらに含み、前記第1の情報は、前記位置測定ユニットのダウンリンク基準信号に関する情報であり、前記位置測定ユニットは、サービング基地局以外の位置測定ユニットである、請求項14から16のいずれか一項に記載の方法。
【請求項１８】
前記第1の情報は、前記位置測定ユニットの前記ダウンリンク基準信号の番号情報またはインデックス情報である、請求項17に記載の方法。
【請求項１９】
情報処理方法であって、
ネットワークデバイスによって送信された第1の構成情報を受信するステップであり、前記第1の構成情報は、アップリンク基準信号リソースと第1の情報との間の少なくとも第1のマッピング関係を含み、前記第1の情報は、位置測定ユニットのダウンリンク基準信号に関する情報であり、前記位置測定ユニットは、サービング基地局以外の位置測定ユニットである、受信するステップと、
前記第1の構成情報に基づいてアップリンク基準信号を送信するステップと
を含む情報処理方法。
【請求項２０】
前記第1の構成情報は、前記アップリンク基準信号リソースと前記位置測定ユニットとの間の第2のマッピング関係をさらに含む、請求項19に記載の方法。
【請求項２１】
情報処理方法であって、
測位エンティティによって送信された測定構成情報を受信するステップであり、前記測定構成情報は、アップリンク基準信号リソースを保持する、受信するステップと、
前記アップリンク基準信号リソースに基づいてアップリンク基準信号を受信し、受信モーメントを記録するステップと、
前記受信モーメントを前記測位エンティティに送信するステップと
を含む情報処理方法。
【請求項２２】
前記情報処理方法は、位置測定ユニットによって実行され、前記位置測定ユニットは、ネットワークデバイスに統合される、請求項21に記載の方法。
【請求項２３】
通信デバイスであって、
アップリンク基準信号の第1の構成情報を生成するように構成された生成モジュールであり、前記第1の構成情報は、アップリンク基準信号リソースと第1の情報との間の第1のマッピング関係を含み、前記第1の情報は、位置測定ユニットのダウンリンク基準信号に関する情報であり、前記位置測定ユニットは、サービング基地局以外の位置測定ユニットである、生成モジュールと、
前記第1の構成情報を端末に送信するように構成された送信モジュールと
を含む通信デバイス。
【請求項２４】
前記送信モジュールは、
第2の構成情報を測位エンティティに送信するようにさらに構成されており、前記第2の構成情報は、前記アップリンク基準信号リソースと前記位置測定ユニットとの間の第2のマッピング関係を含む、
請求項23に記載の通信デバイス。
【請求項２５】
前記第1の情報は、前記端末によって測定された前記位置測定ユニットの前記ダウンリンク基準信号の番号情報またはインデックス情報である、請求項23または24に記載の通信デバイス。
【請求項２６】
前記測位エンティティによって送信された、前記端末についての測位要求情報を受信するように構成された受信モジュール
をさらに含む、請求項23から25のいずれか一項に記載の通信デバイス。
【請求項２７】
前記測位要求情報は、前記位置測定ユニットの識別情報を保持する、請求項26に記載の通信デバイス。
【請求項２８】
前記送信モジュールは、第1の測定情報を前記端末に送信するようにさらに構成されており、前記第1の測定情報は、前記第1の情報を取得するために、前記位置測定ユニットの前記識別情報に基づいて、前記位置測定ユニットに関する情報を測定するように、前記端末に指示するために使用され、
前記受信モジュールは、前記端末によって送信された前記第1の情報を受信するようにさらに構成されている、
請求項27に記載の通信デバイス。
【請求項２９】
前記位置測定ユニットの前記識別情報は、
物理セル識別子PCIと、
セルグローバル識別子ECGIと、
周波数と、
アップリンク補助帯域SULがサポートされているかどうかと
のうちの少なくとも1つを含む、請求項27または28に記載の通信デバイス。
【請求項３０】
前記送信モジュールは、第2の測定情報を前記端末に送信するようにさらに構成されており、前記第2の測定情報は、前記第1の情報を取得するために、前記端末によって検出可能なすべての位置測定ユニットに関する情報を測定するように、前記端末に指示するために使用され、
前記受信モジュールは、前記端末によって送信された前記第1の情報を受信するようにさらに構成されている、
請求項26に記載の通信デバイス。
【請求項３１】
前記端末によって報告された前記第1の情報が履歴測定情報に存在するかどうかを検出することであり、前記履歴測定情報は、前記端末によって以前に測定され、ネットワークデバイスに送信された測定情報である、検出することと、
前記端末によって報告された前記第1の情報が前記履歴測定情報に存在する場合、前記端末によって報告され、前記履歴測定情報に記録された前記第1の情報を取得することと、
前記端末によって報告された前記第1の情報が前記履歴測定情報に存在しない場合、前記第1の情報を取得するために、前記位置測定ユニットを検出し、前記検出された位置測定ユニットに関する情報を測定するように、前記端末に指示することと
を行うように構成された処理モジュールをさらに含む、請求項23から30のいずれか一項に記載の通信デバイス。
【請求項３２】
前記位置測定ユニットは、前記端末によって測定されたすべての前記位置測定ユニットの一部であり、前記位置測定ユニットの信号強度は、あらかじめ設定された信号強度しきい値以上である、請求項23から30のいずれか一項に記載の通信デバイス。
【請求項３３】
位置測定ユニットの数が、測位測定に必要な位置測定ユニットの最小数以上であるかどうかを決定することであり、
前記送信モジュールは、位置測定ユニットの前記数が前記最小数未満である場合、通知メッセージを前記測位エンティティに送信するようにさらに構成されており、前記通知メッセージは、前記端末の現在の位置が測位条件を満たさないことを前記測位エンティティに通知するために使用される、決定すること
を行うように構成された処理モジュールをさらに含む、請求項23から32のいずれか一項に記載の通信デバイス。
【請求項３４】
前記第2の構成情報は、前記第1のマッピング関係をさらに含む、請求項24に記載の通信デバイス。
【請求項３５】
前記第1の構成情報は、前記アップリンク基準信号リソースと前記位置測定ユニットとの間の前記第2のマッピング関係をさらに含む、請求項23から34のいずれか一項に記載の通信デバイス。
【請求項３６】
通信デバイスであって、
端末についての測位要求情報をネットワークデバイスに送信するように構成された送信モジュールと、
第2の構成情報を受信するように構成された受信モジュールであり、前記第2の構成情報は、アップリンク基準信号リソースと候補位置測定ユニットとの間の第2のマッピング関係を含み、前記アップリンク基準信号リソースは、前記端末のために前記ネットワークデバイスによって構成される、受信モジュールと、
前記第2の構成情報に基づいて、前記候補位置測定ユニットの中でターゲット位置測定ユニットを決定するように構成された決定モジュールであり、
前記送信モジュールは、測定構成情報を前記ターゲット位置測定ユニットに送信するようにさらに構成されており、前記測定構成情報は、前記アップリンク基準信号リソースを保持し、
前記受信モジュールは、アップリンク基準信号のものであり、前記アップリンク基準信号リソース上で前記ターゲット位置測定ユニットによって測定された受信モーメントを受信するようにさらに構成されている、決定モジュールと、
前記受信モーメントに基づいて前記端末を測位するように構成された測位モジュールと
を含む通信デバイス。
【請求項３７】
前記送信モジュールは、具体的に、
前記端末の地理的位置に基づいて、前記端末に対する測位測定を実行するための前記候補位置測定ユニットを決定することと、
前記測位要求情報を前記ネットワークデバイスに送信することであり、前記測位要求情報は、前記位置測定ユニットの識別情報を保持する、送信することと
を行うように構成されている、請求項36に記載の通信デバイス。
【請求項３８】
前記候補位置測定ユニットの前記識別情報は、
物理セル識別子PCIと、
セルグローバル識別子ECGIと、
周波数と、
アップリンク補助帯域SULがサポートされているかどうかと
のうちの少なくとも1つを含む、請求項37に記載の通信デバイス。
【請求項３９】
前記第2の構成情報は、前記アップリンク基準信号リソースと第1の情報との間の第1のマッピング関係をさらに含み、前記第1の情報は、前記位置測定ユニットのダウンリンク基準信号に関する情報であり、前記位置測定ユニットは、サービング基地局以外の位置測定ユニットである、請求項36から38のいずれか一項に記載の通信デバイス。
【請求項４０】
前記第1の情報は、前記位置測定ユニットの前記ダウンリンク基準信号の番号情報またはインデックス情報である、請求項39に記載の通信デバイス。
【請求項４１】
通信デバイスであって、
ネットワークデバイスによって送信された第1の構成情報を受信するように構成された受信モジュールであり、前記第1の構成情報は、アップリンク基準信号リソースと第1の情報との間の少なくとも第1のマッピング関係を含み、前記第1の情報は、位置測定ユニットのダウンリンク基準信号に関する情報であり、前記位置測定ユニットは、サービング基地局以外の位置測定ユニットである、受信モジュールと、
前記第1の情報によって示される前記アップリンク基準信号リソース上でアップリンク基準信号を送信するように構成された送信モジュールと
を含む通信デバイス。
【請求項４２】
前記第1の構成情報は、前記アップリンク基準信号リソースと前記位置測定ユニットとの間の第2のマッピング関係をさらに含む、請求項41に記載の通信デバイス。
【請求項４３】
通信デバイスであって、
測位エンティティによって送信された測定構成情報を受信するように構成された受信モジュールであり、前記測定構成情報は、アップリンク基準信号リソースを保持し、
前記受信モジュールは、前記アップリンク基準信号リソースに基づいて、アップリンク基準信号を受信するようにさらに構成されている、受信モジュールと、
前記アップリンク基準信号の受信モーメントを記録するように構成された記録モジュールと、
前記受信モーメントを前記測位エンティティに送信するように構成された送信モジュールと
を含む通信デバイス。
【請求項４４】
トランシーバ、プロセッサ、メモリ、およびバスを含む通信デバイスであって、前記トランシーバ、前記プロセッサ、および前記メモリは、前記バスに別々に接続され、前記メモリは、プログラム命令を記憶し、前記プロセッサは、請求項1から13のいずれか一項に記載の方法を実行するために前記プログラム命令を実行する、通信デバイス。
【請求項４５】
トランシーバ、プロセッサ、メモリ、およびバスを含む通信デバイスであって、前記トランシーバ、前記プロセッサ、および前記メモリは、前記バスに別々に接続され、前記メモリは、プログラム命令を記憶し、前記プロセッサは、請求項14から18のいずれか一項に記載の方法を実行するために前記プログラム命令を実行する、通信デバイス。
【請求項４６】
トランシーバ、プロセッサ、メモリ、およびバスを含む通信デバイスであって、前記トランシーバ、前記プロセッサ、および前記メモリは、前記バスに別々に接続され、前記メモリは、プログラム命令を記憶し、前記プロセッサは、請求項19または20に記載の方法を実行するために前記プログラム命令を実行する、通信デバイス。
【請求項４７】
トランシーバ、プロセッサ、メモリ、およびバスを含む通信デバイスであって、前記トランシーバ、前記プロセッサ、および前記メモリは、前記バスに別々に接続され、前記メモリは、プログラム命令を記憶し、前記プロセッサは、請求項21または22に記載の方法を実行するために前記プログラム命令を実行する、通信デバイス。
【請求項４８】
コンピュータ可読記憶媒体であって、コンピュータプログラムを記憶し、前記コンピュータプログラムがコンピュータ上で実行されると、前記コンピュータは、請求項1から13のいずれか一項に記載の方法を実行することができる、コンピュータ可読記憶媒体。
【請求項４９】
コンピュータ可読記憶媒体であって、コンピュータプログラムを記憶し、前記コンピュータプログラムがコンピュータ上で実行されると、前記コンピュータは、請求項14から18のいずれか一項に記載の方法を実行することができる、コンピュータ可読記憶媒体。
【請求項５０】
コンピュータ可読記憶媒体であって、コンピュータプログラムを記憶し、前記コンピュータプログラムがコンピュータ上で実行されると、前記コンピュータは、請求項19または20に記載の方法を実行することができる、コンピュータ可読記憶媒体。
【請求項５１】
コンピュータ可読記憶媒体であって、コンピュータプログラムを記憶し、前記コンピュータプログラムがコンピュータ上で実行されると、前記コンピュータは、請求項21または22に記載の方法を実行することができる、コンピュータ可読記憶媒体。
【請求項５２】
ネットワークデバイスと、測位エンティティと、端末とを含む通信システムであって、
前記ネットワークデバイスは、請求項23から35のいずれか一項に記載の通信デバイスであり、前記測位エンティティは、請求項36から40のいずれか一項に記載の通信デバイスであり、前記端末は、請求項41または42に記載の通信デバイスである、
通信システム。
【請求項５３】
位置測定ユニットをさらに含み、
前記位置測定ユニットは、請求項43に記載の通信デバイスである、
請求項52に記載の通信システム。
【発明の詳細な説明】
【技術分野】
【０００１】
本出願は、その全体が参照により本明細書に組み込まれる、2018年9月27日に中国特許庁に出願された「INFORMATION PROCESSING METHOD, COMMUNICATIONS DEVICE, AND STORAGE MEDIUM」という名称の中国特許出願第201811133698.9号の優先権を主張する。
【０００２】
本出願は、通信技術の分野に関し、より詳細には、情報処理方法、通信デバイス、システム、および記憶媒体に関する。
【背景技術】
【０００３】
基地局は、一般に、観測到着時間差(Observed Time Difference Of Arrival、UTDOA)測位方法を使用することによって、端末を測位する。この方法では、複数の位置測定ユニット(Location Measurement Unit、LMU)が、端末によって送信された測位信号の到着モーメントを測定し、その到着モーメントを測位エンティティに送信する。このようにして、測位エンティティは、到着モーメントの時間差に基づいて端末を測位する。
【０００４】
現在、ロングタームエボリューション(Long Term Evolution、LTE)技術では、UTDOA方法を使用することによって、端末を測位することが一般に使用されている。しかしながら、LTEでは、端末は、測位信号を全方向に送信する。言い換えれば、端末の位置の近くのすべてのLMUは、端末によって送信された測位信号を受信することができる。言い換えれば、測位信号を受信するLMUは、測位エンティティに、測位信号が受信される受信モーメントを送信することができ、測位エンティティは、LMUによって報告された受信モーメントに基づいて、測位信号の到着時間差を決定し、到着時間差に基づいて端末を測位する。
【０００５】
しかしながら、フェージングに耐えるために、新しい無線アクセス技術(New RAT (Radio Access Technology)、NR)が、比較的高いスペクトルで動作する際に使用され、NR基地局の信号は、ビームフォーミングを介して送信され、各ビームは、1つの方向に対応する。結果として、いくつかのLMUは、端末によって送信された測位信号を受信することができず、この場合、測位エンティティは、測位信号の到着時間差に基づいて端末の測位を完了することができない。
【発明の概要】
【課題を解決するための手段】
【０００６】
本出願は、NRシステムにおいて端末測位を実施するための情報処理方法、通信デバイス、システム、および記憶媒体を提供する。
【０００７】
第1の態様によれば、本出願は、通信方法を提供する。この方法は、ネットワークデバイスによって、アップリンク基準信号の第1の構成情報を生成するステップであり、第1の構成情報は、アップリンク基準信号リソースと第1の情報との間の第1のマッピング関係を含み、第1の情報は、位置測定ユニットLMUのダウンリンク基準信号に関する情報であり、LMUは、サービング基地局以外のLMUである、生成するステップと、ネットワークデバイスによって、第1の構成情報を端末に送信するステップとを含む。この実施形態で提供される解決策によれば、端末は、第1の構成情報によって示されるように、構成されたアップリンク基準信号リソース上で測位信号を送信することができ、その結果、アップリンク基準信号リソースに対応する第1の情報に対応するLMUは、測位信号を受信することができ、それによって、NRシステムにおいてUTDOA測位を実施する。
【０００８】
可能な設計では、この方法は、ネットワークデバイスによって、第2の構成情報を測位エンティティに送信するステップであり、第2の構成情報は、アップリンク基準信号リソースとLMUとの間の第2のマッピング関係を含む、送信するステップをさらに含む。この実施形態で提供される解決策によれば、測位エンティティがターゲットLMUを自由に選択することが可能である。測位エンティティは、ターゲットLMUとして測位エンティティの測位要件をより良く満たすLMUを選択することができる。これは、測位精度を向上させるのに役立つ。
【０００９】
可能な設計では、第1の情報は、端末によって測定されたLMUのダウンリンク基準信号の番号情報またはインデックス情報である。一方では、端末によって測定されたLMUは、端末がLMUに測位信号を送信でき、LMUも、端末によって送信された測位信号を受信できることを保証し、それによって、測位測定の基礎を根本的に保証する。一方、第1の情報は、LMUのダウンリンク基準信号の番号情報またはインデックス情報である。これによって、ビーム方向を一意に識別することができ、番号情報またはインデックス情報の情報量は比較的少ない。これは、第1のマッピング関係の確立およびデータ送信を容易にする。
【００１０】
可能な設計では、この方法は、ネットワークデバイスによって、測位エンティティによって送信された、端末についての測位要求情報を受信するステップをさらに含む。具体的には、ネットワークデバイスは、測位エンティティによって送信された測位要求情報を受信した後にのみ、上記の解決策を実行し始め、それによって、システムリソースを低減する。
【００１１】
可能な設計では、測位要求情報は、LMUの識別情報を保持する。この場合、この方法は、ネットワークデバイスによって、第1の測定情報を端末に送信するステップであり、第1の測定情報は、第1の情報を取得するために、LMUの識別情報に基づいて、LMU測定を実行するように、端末に指示するために使用される、送信するステップと、ネットワークデバイスによって、端末によって送信された第1の情報を受信するステップとをさらに含む。この実施形態で提供される解決策によれば、端末がLMU測定を実行する範囲が制限され、端末は、測位エンティティによって示される候補LMUにおいて測定を実行するだけでよい。これは、範囲制限のないLMU測定様式と比較して、端末によって実行されるLMU測定の作業負荷を低減し、処理効率の向上に役立つ。
【００１２】
可能な設計では、LMUの識別情報は、物理セル識別子PCIと、セルグローバル識別子ECGIと、周波数と、アップリンク補助帯域SULがサポートされているかどうかと、ダウンリンク基準信号のシーケンス番号と、のうちの少なくとも1つを含む。
【００１３】
可能な設計では、この方法は、ネットワークデバイスによって、第2の測定情報を端末に送信するステップであり、第2の測定情報は、第1の情報を取得するために、端末によって測定することができるすべてのLMUに対してLMU測定を実行するように、端末に指示する、言い換えれば、第1の情報を取得するために、すべての潜在的LMUのダウンリンク基準信号が配置されている周波数において測定を実行するように、端末に指示するために使用される、送信するステップと、ネットワークデバイスによって、端末によって送信された第1の情報を受信するステップとをさらに含む。この実施形態で提供される解決策によれば、端末では、測位に使用可能なLMUを、あらかじめ設定された範囲内の測定中に測定することができない場合が回避され、端末は、LMU測定を一度だけ行うことによって、端末が測定できるすべてのLMUを取得することができる。加えて、この様式は、第1の情報に対応するLMUの数を増やすのに役立ち、測位に使用されるLMUの数を増やすことは、測位精度を向上させるのに役立つ。
【００１４】
可能な設計では、この方法は、ネットワークデバイスによって、端末によって報告された第1の情報が履歴測定情報に存在するかどうかを検出するステップであり、履歴測定情報は、端末によって以前に測定され、ネットワークデバイスに送信された測定情報である、検出するステップと、端末によって報告された第1の情報が履歴測定情報に存在する場合、ネットワークデバイスによって、端末によって報告され、履歴測定情報に記録された第1の情報を取得するステップと、端末によって報告された第1の情報が履歴測定情報に存在しない場合、ネットワークデバイスによって、第1の情報を取得するために、LMU測定を実行するように、端末に指示するステップとをさらに含む。この実施形態で提供される解決策によれば、ネットワークデバイスは、第1の構成情報を生成する前にLMU測定を実行するよう端末に要求する必要がなく、それによって、第1の構成情報が生成される前の処理ステップを簡略化し、処理効率の向上に役立ち、システムリソースを低減する。
【００１５】
可能な設計では、LMUは、端末によって測定されたすべてのLMUの一部であり、LMUの信号強度は、あらかじめ設定された信号強度しきい値以上である。この実施形態で提供される解決策によれば、端末は、信号強度に基づいて測定されたLMUをフィルタリングし、測位測定に使用することができるLMUとして、比較的高い信号強度を有するいくつかのLMUのみを使用して、測位測定プロセスにおける信号強度に起因して受信モーメントが影響を受ける場合を回避する。
【００１６】
可能な設計では、この方法は、ネットワークデバイスによって、LMUの数が、測位測定に必要なLMUの最小数以上であるかどうかを決定するステップと、LMUの数が最小数未満である場合、ネットワークデバイスによって、通知メッセージを測位エンティティに送信するステップであり、通知メッセージは、端末の現在の位置が測位条件を満たさないことを測位エンティティに通知するために使用される、送信するステップとをさらに含む。この実施形態で提供される解決策によれば、ネットワークデバイスによって構成され、端末に送信される第1の構成情報が、UTDOA測位測定の最小要件を満たすことができることを保証することができ、それによって、十分なLMUがなく、したがって、測位エンティティが端末を測位するときに十分な受信モーメントがないために、測位を実行することができない場合を回避することができる。
【００１７】
可能な設計では、第2の構成情報は、第1のマッピング関係をさらに含む。この場合、測位エンティティは、各アップリンク基準信号リソースに対応するビーム方向をさらに決定することができ、その結果、測位信号がターゲットLMUで誤って受信される場合をある程度回避することができる。
【００１８】
可能な設計では、第1の構成情報は、アップリンク基準信号リソースとLMUとの間の第2のマッピング関係をさらに含む。この場合、端末は、第1の構成情報に基づいて、端末によって送信された測位信号の受信機およびビーム方向を決定することができる。これは、より的を絞ったものであり、信号送信エラーをある程度回避することができる。
【００１９】
第2の態様によれば、本出願は、情報処理方法を提供する。この方法は、測位エンティティによって、端末についての測位要求情報をネットワークデバイスに送信するステップと、測位エンティティによって、第2の構成情報を受信するステップであり、第2の構成情報は、アップリンク基準信号リソースと位置測定ユニットLMUとの間の第2のマッピング関係を含み、アップリンク基準信号リソースは、端末のためにネットワークデバイスによって構成される、受信するステップと、測位エンティティによって、第2の構成情報に基づいて、候補LMUの中でターゲットLMUを決定するステップと、測位エンティティによって、測定構成情報をターゲットLMUに送信するステップであり、測定構成情報は、アップリンク基準信号リソースを保持する、送信するステップと、測位エンティティによって、アップリンク基準信号のものであり、アップリンク基準信号リソース上でターゲットLMUによって測定された受信モーメントを受信するステップと、測位エンティティによって、受信モーメントに基づいて端末を測位するステップとを含む。この実施形態で提供される解決策によれば、測位エンティティは、ターゲットLMUを自由に選択してもよく、すなわち、ターゲットLMUとして測位エンティティの測位要件をより良く満たすLMUを選択することができる。
【００２０】
可能な設計では、測位エンティティによって、端末についての測位要求情報をネットワークデバイスに送信するステップは、端末の地理的位置に基づいて、測位エンティティによって、端末に対する測位測定を実行するための候補LMUを決定するステップと、測位エンティティによって、測位要求情報をネットワークデバイスに送信するステップであり、測位要求情報は、LMUの識別情報を保持する、送信するステップとを含む。この実施形態で提供される解決策によれば、ネットワークデバイスは、いくつかのLMUを候補LMUとして事前に指定することができ、それによって、ネットワークデバイスが、LMU測定を実行するように、端末に指示するとき、後で測定範囲を絞り込むことを助け、処理効率が向上する。
【００２１】
可能な設計では、候補LMUの識別情報は、物理セル識別子PCI、セルグローバル識別子ECGI、周波数、およびアップリンク補助帯域SULがサポートされるかどうか、のうちの少なくとも1つを含む。
【００２２】
可能な設計では、第2の構成情報は、アップリンク基準信号リソースと第1の情報との間の第1のマッピング関係をさらに含み、第1の情報は、位置測定ユニットLMUのダウンリンク基準信号に関する情報であり、LMUは、サービング基地局以外のLMUである。この実施形態で提供される解決策によれば、測位エンティティは、各アップリンク基準信号リソースに対応するビーム方向をさらに決定することができ、その結果、測位信号がターゲットLMUで誤って受信される場合をある程度回避することができる。
【００２３】
可能な設計では、第1の情報は、LMUのダウンリンク基準信号の番号情報またはインデックス情報である。一方では、端末によって測定されたLMUは、端末がLMUに測位信号を送信でき、LMUも、端末によって送信された測位信号を受信できることを保証し、それによって、測位測定の基礎を根本的に保証する。一方、第1の情報は、LMUのダウンリンク基準信号の番号情報またはインデックス情報である。これによって、ビーム方向を一意に識別することができ、番号情報またはインデックス情報の情報量は比較的少ない。これは、第1のマッピング関係の確立およびデータ送信を容易にする。
【００２４】
第3の態様によれば、本出願は、情報処理方法を提供する。この方法は、端末によって、ネットワークデバイスによって送信された第1の構成情報を受信するステップであり、第1の構成情報は、アップリンク基準信号リソースと第1の情報との間の少なくとも第1のマッピング関係を含み、第1の情報は、位置測定ユニットLMUのダウンリンク基準信号に関する情報であり、LMUは、サービング基地局以外のLMUである、受信するステップと、端末によって、第1の構成情報に基づいてアップリンク基準信号を送信するステップとを含む。この実施形態で提供される解決策によれば、端末は、構成されたアップリンク基準信号リソース上で測位信号を送信することができ、その結果、アップリンク基準信号リソースに対応する第1の情報に対応するLMUは、測位信号を受信することができ、それによって、NRシステムにおいてUTDOA測位を実施する。
【００２５】
可能な設計では、第1の構成情報は、アップリンク基準信号リソースとLMUとの間の第2のマッピング関係をさらに含む。この場合、端末は、第1の構成情報に基づいて、端末によって送信された測位信号の受信機およびビーム方向を決定することができる。これは、より的を絞ったものであり、信号送信エラーをある程度回避することができる。
【００２６】
第4の態様によれば、本出願は、情報処理方法を提供し、位置測定ユニットLMUによって、測位エンティティによって送信された測定構成情報を受信するステップであり、測定構成情報は、アップリンク基準信号リソースを保持する、受信するステップと、LMUによって、アップリンク基準信号リソースに基づいてアップリンク基準信号を受信し、受信モーメントを記録するステップと、LMUによって、受信モーメントを測位エンティティに送信するステップとを含む。この実施形態で提供される解決策によれば、ターゲットLMUは、NRシステムにおいてUTDOA測位を実施するために、測位エンティティによって示されるアップリンク基準信号リソース上で、端末によって送信される測位信号を受信し、各測位信号の受信モーメントを測位エンティティに送信することができる。
【００２７】
可能な設計では、LMUは、ネットワークデバイスに統合される。この設定様式では、LMUを別々に設定するコストを低減することができる。
【００２８】
第5の態様によれば、本出願は、通信デバイスを提供する。通信デバイスは、アップリンク基準信号の第1の構成情報を生成するように構成された生成モジュールであり、第1の構成情報は、アップリンク基準信号リソースと第1の情報との間の第1のマッピング関係を含み、第1の情報は、位置測定ユニットLMUのダウンリンク基準信号に関する情報であり、LMUは、サービング基地局以外のLMUである、生成モジュールと、第1の構成情報を端末に送信するように構成された送信モジュールとを含む。この実施形態で提供される解決策によれば、端末は、第1の構成情報によって示されるように、構成されたアップリンク基準信号リソース上で測位信号を送信することができ、その結果、アップリンク基準信号リソースに対応する第1の情報に対応するLMUは、測位信号を受信することができ、それによって、NRシステムにおいてUTDOA測位を実施する。
【００２９】
可能な設計では、送信モジュールは、第2の構成情報を測位エンティティに送信するようにさらに構成されており、第2の構成情報は、アップリンク基準信号リソースとLMUとの間の第2のマッピング関係を含む。この実施形態で提供される解決策によれば、測位エンティティがターゲットLMUを自由に選択することが可能である。測位エンティティは、ターゲットLMUとして測位エンティティの測位要件をより良く満たすLMUを選択することができる。これは、測位精度を向上させるのに役立つ。
【００３０】
可能な設計では、第1の情報は、端末によって測定されたLMUのダウンリンク基準信号の番号情報またはインデックス情報である。一方では、端末によって測定されたLMUは、端末がLMUに測位信号を送信でき、LMUも、端末によって送信された測位信号を受信できることを保証し、それによって、測位測定の基礎を根本的に保証する。一方、第1の情報は、LMUのダウンリンク基準信号の番号情報またはインデックス情報である。これによって、ビーム方向を一意に識別することができ、番号情報またはインデックス情報の情報量は比較的少ない。これは、第1のマッピング関係の確立およびデータ送信を容易にする。
【００３１】
可能な設計では、通信デバイスは、測位エンティティによって送信された、端末についての測位要求情報を受信するように構成された受信モジュールをさらに含む。具体的には、ネットワークデバイスは、測位エンティティによって送信された測位要求情報を受信した後にのみ、前述の解決策を実行し始め、それによって、システムリソースを低減する。
【００３２】
可能な設計では、測位要求情報は、LMUの識別情報を保持する。この場合、送信モジュールは、第1の測定情報を端末に送信するようにさらに構成されており、第1の測定情報は、第1の情報を取得するために、LMUの識別情報に基づいて、LMU測定を実行するように、端末に指示するために使用され、受信モジュールは、端末によって送信された第1の情報を受信するようにさらに構成されている。この実施形態で提供される解決策によれば、端末がLMU測定を実行する範囲が制限され、端末は、測位エンティティによって示される候補LMUにおいて測定を実行するだけでよい。これは、範囲制限のないLMU測定様式と比較して、端末によって実行されるLMU測定の作業負荷を低減し、処理効率の向上に役立つ。
【００３３】
可能な設計では、LMUの識別情報は、物理セル識別子PCI、セルグローバル識別子ECGI、周波数、およびアップリンク補助帯域SULがサポートされるかどうか、のうちの少なくとも1つを含む。
【００３４】
可能な設計では、送信モジュールは、第2の測定情報を端末に送信するようにさらに構成されており、第2の測定情報は、第1の情報を取得するために、端末によって測定可能なすべてのLMUに対してLMU測定を実行するように、端末に指示するために使用され、受信モジュールは、端末によって送信された第1の情報を受信するようにさらに構成されている。この実施形態で提供される解決策によれば、端末では、測位に使用可能なLMUを、あらかじめ設定された範囲内の測定中に測定することができない場合が回避され、端末は、LMU測定を一度だけ行うことによって、端末が測定できるすべてのLMUを取得することができる。加えて、この様式は、第1の情報に対応するLMUの数を増やすのに役立ち、測位に使用されるLMUの数を増やすことは、測位精度を向上させるのに役立つ。
【００３５】
可能な設計では、ネットワークデバイスは、端末によって報告された第1の情報が履歴測定情報に存在するかどうかを検出することであり、履歴測定情報は、端末によって以前に測定され、ネットワークデバイスに送信された測定情報である、検出することと、端末によって報告された第1の情報が履歴測定情報に存在する場合、端末によって報告され、履歴測定情報に記録された第1の情報を取得することと、端末によって報告された第1の情報が履歴測定情報に存在しない場合、第1の情報を取得するために、LMU測定を実行するように、端末に指示することとを行うように構成された処理モジュールをさらに含み得る。この実施形態で提供される解決策によれば、ネットワークデバイスは、第1の構成情報を生成する前にLMU測定を実行するよう端末に要求する必要がなく、それによって、第1の構成情報が生成される前の処理ステップを簡略化し、処理効率の向上に役立ち、システムリソースを低減する。
【００３６】
可能な設計では、LMUは、端末によって測定されたすべてのLMUの一部であり、LMUの信号強度は、あらかじめ設定された信号強度しきい値以上である。この実施形態で提供される解決策によれば、端末は、信号強度に基づいて測定されたLMUをフィルタリングし、測位測定に使用することができるLMUとして、比較的高い信号強度を有するいくつかのLMUのみを使用して、測位測定プロセスにおける信号強度に起因して受信モーメントが影響を受ける場合を回避する。
【００３７】
可能な設計では、ネットワークデバイスの処理モジュールは、LMUの数が、測位測定に必要なLMUの最小数以上であるかどうかを決定することと、LMUの数が最小数未満である場合、通知メッセージを測位エンティティに送信することであり、通知メッセージは、端末の現在の位置が測位条件を満たさないことを測位エンティティに通知するために使用される、送信することとを行うようにさらに構成されている。この実施形態で提供される解決策によれば、ネットワークデバイスによって構成され、端末に送信される第1の構成情報が、UTDOA測位測定の最小要件を満たすことができることを保証することができ、それによって、十分なLMUがなく、したがって、測位エンティティが端末を測位するときに十分な受信モーメントがないために、測位を実行することができない場合を回避することができる。
【００３８】
第6の態様によれば、本出願は、通信デバイスを提供する。通信デバイスは、端末についての測位要求情報をネットワークデバイスに送信するように構成された送信モジュールと、第2の構成情報を受信するように構成された受信モジュールであり、第2の構成情報は、アップリンク基準信号リソースと候補位置測定ユニットLMUとの間の第2のマッピング関係を含み、アップリンク基準信号リソースは、端末のためにネットワークデバイスによって構成される、受信モジュールと、第2の構成情報に基づいて、候補LMUの中でターゲットLMUを決定するように構成された決定モジュールであり、送信モジュールは、測定構成情報をターゲットLMUに送信するようにさらに構成されており、測定構成情報は、アップリンク基準信号リソースを保持し、受信モジュールは、アップリンク基準信号のものであり、アップリンク基準信号リソース上でターゲットLMUによって測定された受信モーメントを受信するようにさらに構成されている、決定モジュールと、受信モーメントに基づいて端末を測位するように構成された測位モジュールとを含む。この実施形態で提供される解決策によれば、測位エンティティは、ターゲットLMUを自由に選択してもよく、すなわち、ターゲットLMUとして測位エンティティの測位要件をより良く満たすLMUを選択することができる。
【００３９】
可能な設計では、送信モジュールは、具体的に、端末の地理的位置に基づいて、端末に対する測位測定を実行するための候補LMUを決定することと、測位要求情報をネットワークデバイスに送信することであり、測位要求情報は、LMUの識別情報を保持する、送信することとを行うように構成されている。この実施形態で提供される解決策によれば、ネットワークデバイスは、いくつかのLMUを候補LMUとして事前に指定することができ、それによって、ネットワークデバイスが、LMU測定を実行するように、端末に指示するとき、後で測定範囲を絞り込むことを助け、処理効率が向上する。
【００４０】
可能な設計では、候補LMUの識別情報は、物理セル識別子PCI、セルグローバル識別子ECGI、周波数、およびアップリンク補助帯域SULがサポートされるかどうか、のうちの少なくとも1つを含む。
【００４１】
可能な設計では、第2の構成情報は、アップリンク基準信号リソースと第1の情報との間の第1のマッピング関係をさらに含み、第1の情報は、位置測定ユニットLMUのダウンリンク基準信号に関する情報であり、LMUは、サービング基地局以外のLMUである。この実施形態で提供される解決策によれば、測位エンティティは、各アップリンク基準信号リソースに対応するビーム方向をさらに決定することができ、その結果、測位信号がターゲットLMUで誤って受信される場合をある程度回避することができる。
【００４２】
可能な設計では、第1の情報は、LMUのダウンリンク基準信号の番号情報またはインデックス情報である。一方では、端末によって測定されたLMUは、端末がLMUに測位信号を送信でき、LMUも、端末によって送信された測位信号を受信できることを保証し、それによって、測位測定の基礎を根本的に保証する。一方、第1の情報は、LMUのダウンリンク基準信号の番号情報またはインデックス情報である。これによって、ビーム方向を一意に識別することができ、番号情報またはインデックス情報の情報量は比較的少ない。これは、第1のマッピング関係の確立およびデータ送信を容易にする。
【００４３】
第7の態様によれば、本出願は、通信デバイスを提供する。通信デバイスは、ネットワークデバイスによって送信された第1の構成情報を受信するように構成された受信モジュールであり、第1の構成情報は、アップリンク基準信号リソースと第1の情報との間の少なくとも第1のマッピング関係を含み、第1の情報は、位置測定ユニットLMUのダウンリンク基準信号に関する情報であり、LMUは、サービング基地局以外のLMUである、受信モジュールと、第1の情報によって示されるアップリンク基準信号リソース上でアップリンク基準信号を送信するように構成された送信モジュールとを含む。この実施形態で提供される解決策によれば、端末は、構成されたアップリンク基準信号リソース上で測位信号を送信することができ、その結果、アップリンク基準信号リソースに対応する第1の情報に対応するLMUは、測位信号を受信することができ、それによって、NRシステムにおいてUTDOA測位を実施する。
【００４４】
第8の態様によれば、本出願は、通信デバイスを提供する。通信デバイスは、測位エンティティによって送信された測定構成情報を受信するように構成された受信モジュールであり、測定構成情報は、アップリンク基準信号リソースを保持し、受信モジュールは、アップリンク基準信号リソースに基づいて、アップリンク基準信号を受信するようにさらに構成されている、受信モジュールと、アップリンク基準信号の受信モーメントを記録するように構成された記録モジュールと、受信モーメントを測位エンティティに送信するように構成された送信モジュールとを含む。この実施形態で提供される解決策によれば、ターゲットLMUは、NRシステムにおいてUTDOA測位を実施するために、測位エンティティによって示されるアップリンク基準信号リソース上で、端末によって送信される測位信号を受信し、各測位信号の受信モーメントを測位エンティティに送信することができる。
【００４５】
第9の態様によれば、本出願は、通信デバイスを提供する。通信デバイスは、第1の態様から第4の態様のいずれか1つによる通信方法を実施するように構成されたモジュール、構成要素、または回路を含む。
【００４６】
第10の態様によれば、本出願は、通信デバイスを提供する。通信デバイスは、トランシーバ、プロセッサ、メモリ、およびバスを含み、トランシーバ、プロセッサ、およびメモリは、バスに別々に接続され、メモリは、プログラム命令を記憶し、プロセッサは、第1の態様、第2の態様、第3の態様、または第4の態様に記載の方法を実行するためにプログラム命令を実行する。
【００４７】
可能な設計では、第5の態様または第6の態様に記載の通信デバイスは、ネットワークデバイス、測位エンティティ、端末、またはLMUとすることができ、またはLMU内のネットワークデバイス、測位エンティティ、端末、または構成要素(たとえば、チップまたは回路)とすることができる。
【００４８】
第11の態様によれば、本出願は、コンピュータ可読記憶媒体を提供する。コンピュータ可読記憶媒体は、コンピュータプログラムを記憶する。コンピュータプログラムがコンピュータ上で実行されると、コンピュータは、第1の態様、第2の態様、第3の態様、または第4の態様に記載の方法を実行することができる。
【００４９】
第12の態様によれば、本出願は、コンピュータプログラムを提供する。コンピュータによって実行されると、コンピュータプログラムは、第1の態様、第2の態様、第3の態様、または第4の態様に記載の方法を実行するために使用される。
【００５０】
可能な設計では、第12の態様におけるプログラムのすべてまたはいくつかは、プロセッサでカプセル化された記憶媒体に記憶されてもよく、またはプログラムのいくつかまたはすべては、プロセッサでカプセル化されていないメモリに記憶されてもよい。
【００５１】
第13の態様によれば、本出願の一実施形態は、第5の態様、第6の態様、第7の態様、および第8の態様に記載の通信デバイスを含む通信システムをさらに提供する。
【００５２】
第14の態様によれば、本出願の一実施形態は、第9の態様または第10の態様に記載の通信デバイスを含む通信システムをさらに提供する。
【００５３】
上記の態様では、端末は、第1の構成情報によって示されるように、構成されたアップリンク基準信号リソース上で測位信号を送信することができ、その結果、アップリンク基準信号リソースに対応する第1の情報に対応するLMUは、測位信号を受信することができ、それによって、NRシステムにおいてUTDOA測位を実施できることがわかり得る。
【図面の簡単な説明】
【００５４】
【図１】本出願の一実施形態によるアプリケーションシナリオの概略図である。
【図２】本出願によるUTDOA技術の原理の概略図である。
【図３】本出願によるNRシステムにおけるダウンリンク信号送信様式の概略図である。
【図４】本出願によるNRシステムにおけるアップリンク信号送信様式の概略図である。
【図５】本出願によるLTEシステムにおけるUTDOA測位技術の概略図である。
【図６Ａ】本出願による情報処理方法の概略的な対話フローチャートである。
【図６Ｂ】本出願による情報処理方法の概略的な対話フローチャートである。
【図７Ａ】本出願による別の情報処理方法の概略的な対話フローチャートである。
【図７Ｂ】本出願による別の情報処理方法の概略的な対話フローチャートである。
【図８Ａ】本出願による別の情報処理方法の概略的な対話フローチャートである。
【図８Ｂ】本出願による別の情報処理方法の概略的な対話フローチャートである。
【図９】本出願による別の情報処理方法の概略的な対話フローチャートである。
【図１０Ａ】本出願による別の情報処理方法の概略的な対話フローチャートである。
【図１０Ｂ】本出願による別の情報処理方法の概略的な対話フローチャートである。
【図１１】本出願による通信デバイスの概略構造図である。
【図１２】本出願の一実施形態による別の通信デバイスの概略構造図である。
【図１３】本出願の一実施形態による別の通信デバイスの概略構造図である。
【図１４】本出願の一実施形態による別の通信デバイスの概略構造図である。
【図１５】本出願の一実施形態による別の通信デバイスの概略構造図である。
【図１６】本出願の一実施形態による通信デバイスの概略ブロック図である。
【図１７】本出願の一実施形態による通信デバイスの別の概略ブロック図である。
【図１８】本出願の一実施形態による通信デバイスのさらに別の概略ブロック図である。
【発明を実施するための形態】
【００５５】
本出願の発明を実施するための形態において使用される用語は、本出願の特定の実施形態を説明するためにのみ使用され、本出願を限定することを意図しない。
【００５６】
本出願の実施形態は、5G NRシステムに適用することができる。加えて、本出願は、送信方向が示される必要がある任意の他の通信システムにさらに適用されてもよい。これらの通信システムでは、送信方向に第1の情報を送信するように構成されたエンティティが存在し、第1の情報を受信し、第1の情報に基づいて特定の時間内に信号送信方向を決定することができる別のエンティティが存在する。
【００５７】
図1は、本出願の一実施形態によるアプリケーションシナリオの概略図である。通信システムは、ネットワークデバイスと、複数の端末とを含む。図1は、6つの端末(端末1〜端末6)を示す。図1に示される通信システムでは、端末1〜端末6はすべて、アップリンクデータをネットワークデバイスに送信することができ、ネットワークデバイスは、端末1〜端末6によって送信されたアップリンクデータを受信し、ダウンリンクデータを端末1〜端末6に送信することができる。加えて、図1に示されるように、端末4〜端末6は、通信システムも形成し得る。端末4〜端末6によって形成される通信システムでは、ネットワークデバイスは、ダウンリンクデータを端末5に送信し、端末5は、端末4および端末6によって送信されたアップリンクデータを受信し、ダウンリンクデータを端末4および端末6に送信し得る。
【００５８】
ネットワークデバイスは、ネットワーク側デバイス、たとえば、ワイヤレスフィデリティ(Wireless-Fidelity、WiFi)アクセスポイントAP、5G gNB、スモールセル、またはマイクロセルなどの5G NR基地局などの次世代通信基地局、送受信ポイント(Transmission Reception Point、TRP)、中継局、アクセスポイント、車載デバイス、ウェアラブルデバイスなどであり得る。この実施形態では、異なる通信規格の通信システムは、異なる基地局を有する。区別を容易にするために、4G通信システムにおける基地局は、LTE eNBと呼ばれ、5G通信システムにおける基地局は、NR gNBと呼ばれ、4G通信システムと5G通信システムの両方をサポートする基地局は、eLTE eNBと呼ばれる。これらの名称は、単に区別を容易にするためのものであり、限定的な意味を有するものではない。
【００５９】
端末は、ユーザ機器(User Equipment、UE)とも呼ばれ、ユーザに音声および/またはデータ接続を提供するデバイス、たとえば、ワイヤレス接続機能を有するハンドヘルドデバイスまたは車載デバイスである。一般的な端末は、たとえば、携帯電話、タブレットコンピュータ、ノートブックコンピュータ、パームトップコンピュータ、モバイルインターネットデバイス(mobile internet device、MID)、およびスマートウォッチ、スマートバンド、歩数計などのウェアラブルデバイスを含む。
【００６０】
加えて、測位エンティティは、測位サーバであってもよい。本出願では、測位エンティティは、限定はしないが、進化型サービングモバイルロケーションセンター(Evolved Serving Mobile Location Center、E-SMLC)またはロケーション管理機能(Location Management Function、LMF)を含み得る。
【００６１】
本出願では、「少なくとも1つ」は1つまたは複数を意味し、「複数」は2つ以上を意味する。「および/または」という用語は、関連付けられたオブジェクト間の関連付け関係を表し、3つの関係を示し得る。たとえば、Aおよび/またはBは、以下の場合、すなわち、Aのみが存在する、AとBの両方が存在する、Bのみが存在する、を示し得、AおよびBは単数または複数であってもよい。文字「/」は、一般に、関連付けられたオブジェクト間の「または」関係を示す。「以下の項目(部分)のうちの少なくとも1つ」またはその類似の表現は、単一の項目(部分)または複数の項目(部分)の任意の組合せを含む、これらの項目の任意の組合せを示す。たとえば、a、b、またはcのうちの少なくとも1つは、a、b、c、aおよびb、aおよびc、bおよびc、またはa、b、およびcを示してもよく、a、b、およびcは、単数または複数であってもよい。
【００６２】
図1に示される通信システムに含まれる端末の数量およびタイプは一例にすぎず、本出願の実施形態はこれに限定されるものではないことに留意されたい。たとえば、ネットワークデバイスと通信するより多くの端末がさらに含まれてもよい。簡潔のために、詳細は、添付の図面には記載されていない。加えて、図1に示される通信システムでは、ネットワークデバイスおよび端末が示されているが、通信システムは、限定はしないが、ネットワークデバイスおよび端末を含み得、たとえば、コアネットワークノード、または仮想化されたネットワーク機能を担うように構成されたデバイスをさらに含み得る。これは、当業者には明らかであり、本明細書では詳細を説明しない。
【００６３】
加えて、本出願の実施形態は、次世代のワイヤレス通信システム、すなわち、5G通信システムだけでなく、将来現れる可能性があり、送信方向を示す必要がある別の通信システム、たとえば、次世代のWi-Fiネットワークまたは車両の5Gインターネットにも適用することができる。
【００６４】
通信システムの連続的な発展に伴って、上記のネットワーク要素の名前は、将来現れる可能性がある別のシステムにおいて変わる可能性があることに留意されたい。この場合、本出願の実施形態で提供される解決策も適用可能である。
【００６５】
説明を簡単にするために、UTDOA技術を以下に簡単に説明する。
【００６６】
UTDOA測位方法は、LMU側が、端末によって送信された測位信号の受信モーメントを測定し、受信モーメントを測位エンティティに送信し、測位エンティティが、複数の(一般に少なくとも3つの)LMUによって送信された受信モーメント間の到着時間差に基づいて端末を測位することである。
【００６７】
LMUは、LTEにおいてアップリンク基準信号を測定する機能局の名称であり、NRシステムまたは別のシステムにおいて別の名称を有し得ることに留意されたい。たとえば、LMUは、NRシステムにおいて、送信測定機能ネットワーク要素(transmission measurement function、TMF)、送信受信ポイント(transmission reception point、TRP)などと呼ばれる。本出願では、LMUの他の名称は限定されず、端末デバイスのアップリンク基準信号を測定する機能を有する任意の機能エンティティ、ネットワーク要素、局、またはデバイスは、LMUと呼ばれ得る。
【００６８】
アップリンク基準信号は、複数の機能、たとえば、チャネル測定および測位などの機能を有し得ることを理解されよう。この実施形態では、アップリンク基準信号が測位に使用されることは、主に説明に使用される。
【００６９】
加えて、いくつかの実装シナリオでは、LMUは、ネットワークデバイス側に配置される。したがって、ネットワークデバイスは、端末によって送信された測位信号の受信モーメントを測定し、受信モーメントを測位エンティティに送信することも考えられ得る。本実装シナリオでは、LMUは、基地トランシーバ局(Base Transceiver Station、BTS)と組み合わされてもよく、または別々に配置されてもよい。本実装シナリオを一例として使用すると、各BTSの地理的位置がわかっているので、球面三角形を使用することによって携帯端末の位置を計算することができる。図2は、本シナリオにおけるUTDOA技術の数学的原理を示す。
【００７０】
図2に示されるように、点A、B、Cの座標はそれぞれ、(x1,y1)、(x2,y2)、および(x3,y3)と仮定する。任意の点(x,y)について、点からA、B、およびCに信号が送信される時点をそれぞれ、t1、t2、およびt3と仮定する。次いで、以下の2つの双曲線方程式を確立することができる。
【００７１】
【数１】
2022501949.tif 000003
【００７２】
したがって、2つの双曲線方程式のみを解く必要があり、その結果、任意の点(x,y)の座標を取得することができ、任意の点を測位することができる。
【００７３】
UTDOAでは、端末によって送信された測位信号が、純粋な送信時間ではなく、異なるBTSに到達する送信時間の間の差が測定されることがわかり得る。加えて、LTEシステムでは、測位信号は、チャネルサウンディング基準信号(Sounding Reference Signal、SRS)であってもよい。
【００７４】
加えて、LTE測位プロトコル、すなわち、軽量プレゼンテーションプロトコル(Lightweight Presentation Protocol、LPP)は、第3世代パートナーシップ・プロジェクト・ロング・ターム・エボリューション(Third Generation Partnership Project Long Term Evolution、3GPP-LTE)システムにおいてさらに定義される。
【００７５】
一般的な測位通信プロトコルとして、LPP測位プロトコルは、主に、ネットワークデバイスと端末との間で測位支援データおよび測位情報を交換するために使用される。LPP測位プロトコルは、実際には、制御プレーンとデータプレーンの両方で使用することができる。相対的に言って、制御プレーンの実装は、専用制御チャネルを伴い、複数のネットワーク要素が、測位関連制御プレーンシグナリングをサポートするためにソフトウェアおよびハードウェアにおいてアップグレードされる必要があるので、モバイルネットワークのコストを大幅に増加させる。したがって、ユーザプレーンの実装は、商業用途で使用するのがより容易である。
【００７６】
加えて、いくつかのLTE通信システムでは、LPP測位プロトコルは、衛星ベースの測位技術、観測到着時間差(Observed Time Difference of Arrival、OTDOA)ベースの測位技術、拡張セルID(Enhanced Cell identity、E-CID)ベースの測位技術、UTDOAベースの測位技術、Wi-Fiベースの測位技術、センサーベースの測位技術、Bluetooth（登録商標）ベースの測位技術、TBSベースの測位技術、およびそれらのハイブリッド測位技術をすでにサポートしている。
【００７７】
NRシステムでは、基地局の信号がビームフォーミングを介して送信される。ビームの幅および基準符号は、送信される信号のタイプによって変化する。たとえば、基地局がSSB信号を送信するとき、基地局の異なる動作周波数に基づいて最大4、8、または64のビームが存在し得、各ビームは1つの方向に対応する。図3は、NRシステムにおける基地局の信号送信様式を示す。図3に示されるように、同じNR基地局は、ビーム1に基づいて端末1に信号を送信し、ビーム2に基づいて端末2に信号を送信し、ビーム3に基づいて端末3に信号を送信する。ビーム1、ビーム2、およびビーム3は、それぞれ異なる方向に対応する。
【００７８】
同様に、NRシステムでは、アップリンク信号の伝送効率を向上させるために、アップリンク信号をビームの形態で送信することもできる。図4に示されるように、端末デバイスは、アップリンク信号をネットワークデバイスにビーム様式で送信する。
【００７９】
加えて、図5は、LTEシステムにおけるUTDOA測位技術の概略図である。図5に示されるように、LTEシステムでは、以下のステップが含まれる。
【００８０】
S501:測位エンティティは、測位要求メッセージ(Information Request)を端末のサービング基地局に送信する。
【００８１】
S502:サービング基地局は、端末のために構成されたチャネルサウンディング基準信号(Sounding Reference Signal、SRS)リソースを決定する。
【００８２】
S503:サービング基地局は、測位エンティティに、SRSリソースの構成情報を保持するフィードバックメッセージ(Information Response)を送信する。
【００８３】
S504:サービング基地局は、端末のために決定されたSRSリソースを構成する。
【００８４】
S505:測位エンティティは、測定構成情報をLMUに送信し、測定構成情報は、SRSリソースの構成情報を含む。
【００８５】
S506:LMUは、端末によって送信されたSRS信号の測定された受信モーメントを測位エンティティに送信する。
【００８６】
このようにして、端末は、サービング基地局によって構成されたSRSリソースに基づいてSRS信号を送信し得る。LTEシステムにおける信号は全方向に送信されるので、端末の近くのLMUは、端末によって送信されたSRS信号を受信し、受信モーメントを記録し得る。したがって、各LMUは、測定された受信モーメントを測位エンティティに送信する。説明を容易にするために、図5は、1つのLMUのみを示す。
【００８７】
S507:測位エンティティは、LMUによって送信された受信モーメントに基づいて端末を測位する。
【００８８】
図5に示される測位手順は、NRシステムが動作する動作スペクトルが比較的高いので、NRシステムには適用できないことがわかり得る。フェージングに耐えるために、NRシステムにおける信号は、ビームの形態で送信される。その結果、いくつかのLMUは、UEによって送信されたSRS信号を受信することができず、UTDOA測位を実行することができない。
【００８９】
上記の問題のために、本出願の実施形態は、実現可能な解決策アイデアを提供する。すなわち、UTDOA測位がNRシステムにおいて実施されるとき、ネットワークデバイスは、まず、端末が、ネットワークデバイスによって構成されたアップリンク基準信号リソース上で測位信号を送信することができるように、端末のための対応するアップリンク基準信号リソースを構成するために、端末の近くのLMUのビーム情報を取得し得る。このようにして、LMUも、端末によって送信された測位信号を受信することができる。
【００９０】
本出願は、情報処理方法を提供する。以下、実施形態を参照して、情報処理方法について詳細に説明する。
【００９１】
図6Aおよび図6Bは、本出願による情報処理方法の概略的な対話フローチャートである。図6Aおよび図6Bに示されるように、この方法は、以下のステップを含み得る。
【００９２】
S602:測位エンティティは、端末についての測位要求情報をネットワークデバイスに送信する。
【００９３】
測位要求情報は、測位が必要な端末に関する情報を保持する。加えて、可能な実装シナリオでは、測位要求情報は、測位エンティティによって選択されたいくつかの候補LMUの識別情報をさらに保持し得る。
【００９４】
本出願におけるLMUの識別情報は、限定はしないが、物理セル識別子(Physical Cell Identifier、PCI)、セルグローバル識別子(E-UTRAN Cell Global Identifier、ECGI)、周波数、アップリンク補助帯域(supplement UpLink、SUL)がサポートされているかどうか、およびダウンリンク基準信号のシーケンス番号のうちの少なくとも1つを含み得る。上記のようにLMUの識別情報は、LMUを識別することができる。特定の実装形態では、LMUは、上記のようにLMUの識別子を使用することによってのみ一意に決定することができる。
【００９５】
図6Aおよび図6Bに示される実装手順は、可能な実装であり、ステップS604は、測位エンティティによって送信された測位要求が受信された後に実行されてもよく、すなわち、ステップS604は、ステップS602の後に実行されてもよいことにさらに留意されたい。しかしながら、本出願では、ステップS604のトリガ条件は限定されない。測位要求情報が受信された後に実行され、図6Aおよび図6Bに示されるトリガは、単に可能な実装である。別の可能な実装シナリオでは、S604は、別のあらかじめ設定された条件、たとえば、命令によってトリガされてもよい。
【００９６】
S604:ネットワークデバイスは、アップリンク基準信号の第1の構成情報を生成し、第1の構成情報は、アップリンク基準信号リソースと第1の情報との間の第1のマッピング関係を含み、第1の情報は、位置測定ユニットLMUのダウンリンク基準信号に関する情報であり、LMUは、サービング基地局以外のLMUである。
【００９７】
アップリンク基準信号リソースは、主に、時間-周波数リソース、方向、および関連する基地局である。ダウンリンク基準信号は、同期信号およびPBCHブロック(synchronization signal and PBCH block、略してSSB)、チャネル状態情報基準信号(channel state information-reference signal、CSI-RS)、または測位基準信号(positioning reference signal、PRS)とすることができ、PBCHは、物理ブロードキャストチャネル(physical broadcast channel)である。
【００９８】
ダウンリンク基準信号の特定のタイプは、本出願のこの実施形態において限定されず、実際の状況に基づいて選択され得ることが理解され得る。
【００９９】
S606:ネットワークデバイスは、第1の構成情報を端末に送信する。
【０１００】
S608:端末は、ネットワークデバイスによって送信された第1の構成情報を受信する。
【０１０１】
S610:端末は、第1の構成情報に基づいてアップリンク基準信号を送信する。
【０１０２】
具体的には、端末は、第1の構成情報における第1のマッピング関係に基づいて、任意の第1のマッピング関係に含まれるアップリンク基準信号リソース上で、アップリンク基準信号リソースに対応する第1の情報によって示されるビーム方向に、アップリンク基準信号を送信し得る。
【０１０３】
好ましくは、アップリンク基準信号は、SRS信号であってもよい。この場合、アップリンク基準信号リソースは、SRSリソースである。
【０１０４】
S612:ターゲットLMUは、アップリンク基準信号リソースに基づいてアップリンク基準信号を受信し、受信モーメントを記録する。
【０１０５】
測位測定中のターゲットLMUの必要なステップのみが、図6Aおよび図6Bに示される手順に示されていることに留意されたい。別のLMUの手順は、本出願では、特に限定されない。加えて、図6Aおよび図6Bは、ターゲットLMUの実装ステップが同じであるので、1つのターゲットLMUのみを示す。これは、本出願では、ターゲットLMUの数を制限するためには使用されない。
【０１０６】
S614:ターゲットLMUは、受信モーメントを測位エンティティに送信する。
【０１０７】
S616:測位エンティティは、受信モーメントに基づいて端末を測位する。
【０１０８】
次に、S604における第1のリソース構成情報に含まれる第1のマッピング関係について具体的に説明する。
【０１０９】
本出願では、第1のマッピング関係におけるアップリンク基準信号リソースは、端末のためにネットワークデバイスによって構成される。このステップを実行する前に、ネットワークデバイスはさらに、端末のアップリンク基準信号リソースを決定する(determine)必要がある。第1の情報は、LMUのダウンリンク基準信号に関する情報である。NRシステムにおける信号は、ビームの形態で送信されるので、LMUのものであり、端末によって受信することができるダウンリンク基準信号は、1つまたは複数のビーム方向に明確に対応する。言い換えれば、第1の情報は、端末によって受信することができるLMUビームのビーム方向を示すために使用することができる。したがって、端末は、第1の構成情報を受信した後、第1の構成情報に示されたアップリンク基準信号リソース上でアップリンク基準信号(以下、略して測位信号と呼ぶ)を送信し得る。しかしながら、第1のマッピング関係に基づいて、端末は、アップリンク基準信号リソース上で、第1の情報によって示されるビーム方向に測位信号を送信することができ、測位信号は、ビーム方向にLMUによって受信することができ、その結果、UTDOAベースの測位を実施することができる。
【０１１０】
好ましい実装シナリオでは、第1の情報は、端末によって測定することができるLMUのダウンリンク基準信号の番号情報またはインデックス情報とすることができる。たとえば、第1の情報は、LMU1のビーム番号またはビームインデックスであってもよい。この場合、端末が測定を介してLMUのダウンリンク基準信号を取得することができる場合、LMUのダウンリンク基準信号に対応する1つまたは複数のビーム方向に送信されたデータが端末によって受信され得ることを示し、端末は、ビーム方向の数またはインデックスを決定することができる。このようにして、端末が測位信号を送信する必要があるとき、端末がビーム番号に対応する1つまたは複数のビーム方向にデータを送信することを条件として、LMUによってデータを受信することができる。
【０１１１】
これに基づいて、ネットワークデバイスが第1の構成情報を生成する前に、この方法は、第1の構成情報内の第1の情報を取得するステップをさらに含み得る。第1の情報を取得することの本質は、測位測定に使用することができるLMUに関する情報を取得することである。
【０１１２】
本出願は、具体的に、ネットワークデバイスによって第1の情報を取得する以下のいくつかの様式を提供する。
【０１１３】
第1の様式では、第1の情報は、測定を介して端末によって取得される。加えて、端末が測定を実行する前に、測位エンティティは、いくつかのLMUを選択している。この場合、ネットワークデバイスは、S604を実行する前に、測位エンティティによって送信されたLMUの識別情報を受信する。たとえば、測位エンティティによってネットワークデバイスに送信される測位要求情報は、LMUの識別情報を保持し得る。
【０１１４】
S604が実行される前に、測位エンティティによってネットワークデバイスに送信されたLMUの識別情報を有するLMU(以下、略して候補LMUと呼ぶ)は、最終的に受信モーメントを報告するLMU(以下、略してターゲットLMUと呼ぶ)とは異なっていてもよいことに留意されたい。測位エンティティは、端末の位置について不確定であり、測位エンティティによってネットワークデバイスに送信された候補LMUは、端末の測位信号を受信できない可能性があるので、2つのLMUは、異なる可能性がある。
【０１１５】
加えて、測位エンティティは、端末の現在のサービング基地局の位置に基づいて候補LMUを決定し得る。具体的には、測位エンティティは、端末の地理的位置に基づいて、端末に対する測位測定を実行する候補LMUを決定し、次いで、測位エンティティは、ネットワークデバイスに測位要求情報を送信する。測位要求情報は、LMUの識別情報を保持する。
【０１１６】
たとえば、ネットワークデバイスは、端末の現在のサービング基地局である。測位エンティティが端末を測位する必要があるとき、測位エンティティは、サービング基地局の周りのあらかじめ設定された範囲内のLMUを探索し、あらかじめ設定された範囲内で見つかったLMUを候補LMUとして使用し、候補LMUの識別子をサービング基地局に送信し得る。
【０１１７】
図7Aおよび図7Bに示される情報処理方法は、第1の情報を取得する様式を示す。図7Aおよび図7Bに示されるように、測位エンティティによって送信される測位要求情報は、候補LMUの識別情報を保持する。この場合、S604が実行される前に、この方法は、以下のステップをさらに含む。
【０１１８】
S60312:ネットワークデバイスは、第1の測定情報を端末に送信し、第1の測定情報は、第1の情報を取得するために、候補LMUの識別情報に基づいて測定を実行するように、端末に指示するために使用される。
【０１１９】
S60314:端末は、第1の測定情報を受信し、LMUの識別情報に基づいて測定を実行し、第1の情報を取得する。
【０１２０】
S60316:端末は、第1の情報をネットワークデバイスに送信する。
【０１２１】
S60318:ネットワークデバイスは、端末によって送信された第1の情報を受信する。
【０１２２】
端末は、測定信号をLMUに送信し、測定フィードバック信号を受信することによって、LMU測定を実行し得る。端末が、LMUによって送信された測定フィードバック信号を受信することができる場合、端末は、第1の情報として、LMUが測定フィードバック信号を送信するビームのコーディング情報またはインデックス情報を使用する。そうではなく、端末がLMUから測定フィードバック信号を受信することができない場合、端末は、LMUを測定することができず、LMUのビーム方向情報を取得することができない。
【０１２３】
言い換えれば、第1の情報について、端末は、測位エンティティによって決定された候補LMUを測定し、第1の情報として、端末によって測定することができ、候補LMU内にあるすべてのまたはいくつかのLMUに関する情報を使用し、第1の情報をネットワークデバイスに送信する。第1の情報とアップリンク基準信号リソースとの間の第1のマッピング関係は、測位信号をどのように送信するかを端末に示すために正確に使用される。端末が、第1の情報によって示されるビーム方向に、LMUによって送信された測定フィードバック信号を受信することができる場合、測位測定が実行されるとき、ペアでビーム方向に対応する方向に端末によって送信された測位信号も、LMUによって受信できることがわかり得る。このようにして、ネットワークデバイスによって構成された第1の構成情報は、端末とLMUとの間の通信要件を満たすことができ、すなわち、端末は、LMUに測位信号を送信することができ、LMUも、端末によって送信された測位信号を受信することができる。
【０１２４】
加えて、本実装形態では、端末がLMU測定を実行する範囲が限定され、端末は、測位エンティティによって示される候補LMUにおいて測定を実行するだけでよい。これは、範囲制限のないLMU測定様式と比較して、端末によって実行されるLMU測定の作業負荷を低減し、処理効率の向上に役立つ。
【０１２５】
加えて、極端な実装シナリオでは、LMUの識別情報に基づいてLMU測定を実行するとき、端末は、任意の候補LMUを測定することができないという場合が存在し得る。言い換えれば、測位エンティティによって示された候補LMUのいずれも、端末によって送信された測定信号を受信することができない。この場合、第1の情報を取得するために、以下の第2または第3の様式が使用される。
【０１２６】
第2の様式では、第1の情報は、測定を介して端末によって取得され、測位エンティティは、候補LMUの識別情報を示さない。
【０１２７】
図8Aおよび図8Bに示される情報処理方法は、第1の情報を取得する別の様式を示す。図8Aおよび図8Bに示されるように、S604が実行される前に、この方法は、以下のステップをさらに含む。
【０１２８】
S60322:ネットワークデバイスは、第2の測定情報を端末に送信し、第2の測定情報は、第1の情報を取得するために、端末によって測定可能なすべてのLMUに対してLMU測定を実行するように、端末に指示するために使用される。
【０１２９】
S60324:端末は、第2の測定情報を受信し、端末によって測定可能なすべてのLMUを測定して、第1の情報を取得する。
【０１３０】
言い換えれば、端末は、第2の測定情報を受信した後、すべての潜在的なLMUのダウンリンク基準信号が位置する周波数について測定を実行して、第1の情報を取得する。
【０１３１】
S60326:端末は、第1の情報をネットワークデバイスに送信する。
【０１３２】
S60328:ネットワークデバイスは、端末によって送信された第1の情報を受信する。
【０１３３】
言い換えれば、第1の構成情報は、端末によって測定可能なすべてのLMUに基づいて、ネットワークデバイスによって生成される。本実装形態では、端末では、測位に使用可能なLMUを、あらかじめ設定された範囲内の測定中に測定することができない場合が回避され、端末は、LMU測定を一度だけ行うことによって、端末が測定できるすべてのLMUを取得することができる。加えて、この様式は、第1の情報に対応するLMUの数を増やすのに役立ち、測位に使用されるLMUの数を増やすことは、測位精度を向上させるのに役立つ。
【０１３４】
加えて、図8Aおよび図8Bに示された様式は、図7Aおよび図7Bに示された様式の補足的な様式として使用することができる。具体的には、端末が、第1の測定情報を受信し、第1の測定情報内のLMUの識別情報に基づいてLMU測定を実行するが、いずれのLMUも測定できない場合、ある様式では、端末は、LMU測定ステータスをネットワークデバイスにフィードバックし、ネットワークデバイスによって送信された第2の測定情報に基づいて、図8Aおよび図8Bに示された測定手順を実行し、第1の情報の報告を完了することができ、別の様式では、端末は、S60324で測定ステップを実行し、第1の情報をネットワークデバイスに送信することができる。この実装形態では、ネットワークデバイスによって測定することができるすべてのLMUに対してLMU測定を実行することによって、第1の情報が取得されることが、ネットワークデバイスに通知されるように、第1の情報をさらに記述してもよい。
【０１３５】
上記の第1の様式および第2の様式の実際の実施中に、端末によって実際に測定することができるLMUに関する情報が、第1の情報として使用される。これは、ネットワークデバイスによって構成された第1の構成情報は、端末とLMUとの間の通信要件を満たすことができ、すなわち、端末は、LMUに測位信号を送信することができ、LMUも、端末によって送信された測位信号を受信することができることを保証する。
【０１３６】
加えて、本出願は、2つの実装のうちのより好ましい実装をさらに提供する。LMU測定を実行した(LMUの識別情報に基づいてLMU測定を実行した、または端末によって測定可能なすべてのLMUの範囲内でLMU測定を実行した)後、端末は、第1の情報として、測定されたすべてのLMU内のいくつかのLMUに関する情報を選択し、第1の情報に対応するいくつかのLMUの信号の強度は、あらかじめ設定された信号強度しきい値以上である。端末は、信号強度に基づいて測定されたLMUをフィルタリングし、測位測定に使用することができるLMUとして、比較的高い信号強度を有するいくつかのLMUのみを使用して、測位測定プロセスにおける信号強度に起因して受信モーメントが影響を受ける場合を回避する。
【０１３７】
第3の様式では、第1の情報は、端末によって以前に実行され、端末によって送信されたLMU測定の履歴測定情報に基づいて決定される。
【０１３８】
図9に示される情報処理方法は、第1の情報を取得する別の方法を示す。図9に示されるように、S604が実行される前に、この方法は、以下のステップをさらに含む。
【０１３９】
S60332:ネットワークデバイスは、端末によって報告された第1の情報が履歴測定情報に存在するかどうかを検出し、ネットワークデバイスが第1の情報を検出した場合、S60334を実行し、ネットワークデバイスが第1の情報を検出しない場合、S60336を実行する。
【０１４０】
履歴測定情報は、端末によって以前実行された測定のものであり、ネットワークデバイスに送信された測定情報である。
【０１４１】
S60334:ネットワークデバイスは、端末によって報告され、履歴測定情報に記録された第1の情報を取得する。
【０１４２】
S60336:ネットワークデバイスは、第1の情報を取得するためにLMU測定を実行するように端末に指示する。
【０１４３】
S60334およびS60336は、並列の実装ステップであり、2つのステップのいずれかが、実際の実装中に実行され得ることがわかり得る。加えて、ステップS60336は、上記の第1の様式および/または第2の様式で実施することができ、詳細については再度説明しない。
【０１４４】
図9に示される実装形態では、端末は、第1の構成情報が生成される前にLMU測定を実行することを要求される必要がなく、それによって、第1の構成情報が生成される前の処理ステップを簡略化し、処理効率の向上に役立ち、システムリソースを低減する。
【０１４５】
加えて、図9に示される実装形態は、好ましい実装形態をさらに有することができ、ネットワークデバイスは、代替として、端末によって報告され、LMUの信号強度に基づいて取得された履歴測定情報に記録されるすべてのLMU情報から、信号強度があらかじめ設定された信号強度しきい値以上であるいくつかのLMUを選択し、選択されたいくつかのLMUに関する情報を第1の情報として使用し、第1の情報に基づいて第1の構成情報を生成し得る。
【０１４６】
第1の情報を取得する上記の3つの様式に加えて、好ましい実装シナリオでは、NがUTDOA測位測定に必要とされるLMUの最小数である場合、UTDOAベースの測位測定が、一般に、少なくともN個のLMUによってフィードバックされる受信モーメントを必要とすることを考慮して、実際の実装中に、ネットワークデバイスは、第1の情報に対応するLMUの数が最小数を満たすかどうかをさらに検証し得る。
【０１４７】
この場合、方法は、以下のステップをさらに含む。ネットワークデバイスは、第1の情報に対応するLMUの数が、測位測定に必要とされるLMUの最小数以上であるかどうかを決定し、LMUの数が最小数未満である場合、ネットワークデバイスは、通知メッセージを測位エンティティに送信し、通知メッセージは、端末の現在の位置が測位条件を満たさないことを測位エンティティに通知するために使用される。そうではなく、LMUの数が最小数以上である場合、UTDOA測位測定は、図6A〜図9に示されるステップに従って実施されてもよい。このようにして、ネットワークデバイスによって構成され、端末に送信される第1の構成情報が、UTDOA測位測定の最小要件を満たすことができることを保証することができ、それによって、十分なLMUがなく、したがって、測位エンティティが端末を測位するときに十分な受信モーメントがないために、測位を実行することができない場合を回避することができる。
【０１４８】
加えて、第1の情報を取得した後、ネットワークデバイスは、測位測定のために使用することができるLMUを決定し得る。測位測定に使用することができるLMUはまた、名称に関して、ターゲットLMUと異なっており、測位測定に使用することができるLMUは、機能に関して、ターゲットLMUと同じであっても、異なっていてもよいことに留意されたい。しかしながら、測位測定に使用することができるLMUは、ターゲットLMUを含む。これは、第1の構成情報が、端末が測位信号を送信するアップリンク基準信号リソースと、端末が測位信号を送信するビーム方向とを示すためにのみ使用され、端末は、受信モーメントを送信し、最終的に端末を測位するために測位エンティティによって具体的に使用されるLMUを決定することができないからである。
【０１４９】
したがって、この解決策は、生成された第1の構成情報に第1のマッピング関係のみを含めることによって実施することができる。これは、測位測定プロセスにおいて、端末が各ビーム方向に対応するLMUを決定する必要がなく、これは端末にとって必須ではないからである。
【０１５０】
確かに、好ましい実装シナリオでは、第1の構成情報は、代替として、第2のマッピング関係を保持することができ、第2のマッピング関係は、アップリンク基準信号リソースとLMUとの間のマッピング関係である。たとえば、第2のマッピング関係は、アップリンク基準信号リソースとLMUの識別情報との間のマッピング関係であってもよい。別の例では、第2のマッピング関係は、アップリンク基準信号リソースとLMUの数との間のマッピング関係であってもよい。この実装シナリオでは、第1の構成情報に含まれるマッピング関係は、アップリンク基準信号リソース、すなわち、LMUである端末によって測定可能なLMUのダウンリンク基準信号の番号情報またはインデックス情報であってもよい。この場合、端末は、第1の構成情報に基づいて、端末によって送信された測位信号の受信機およびビーム方向を決定することができる。これは、より的を絞ったものである。
【０１５１】
端末によって生成され、送信された第1の構成情報に加えて、ネットワークデバイスは、端末のために構成されていると決定されたアップリンク基準信号リソースに基づいて、応答メッセージを測位エンティティにさらにフィードバックし得る。
【０１５２】
この場合、図10Aおよび図10Bに示される情報処理方法の概略フローチャートを参照されたい。図10Aおよび図10Bに示されるように、この方法は、図6Aおよび図6Bに示される手順に加えて、以下のステップをさらに含む。
【０１５３】
S6072:ネットワークデバイスは、第2の構成情報を測位エンティティに送信し、第2の構成情報は、アップリンク基準信号リソースとLMUとの間の第2のマッピング関係を含む。
【０１５４】
S6074:測位エンティティは、第2の構成情報を受信する。
【０１５５】
S6076:測位エンティティは、第2の構成情報に基づいて、すべての候補LMUの中でターゲットLMUを決定する。
【０１５６】
言い換えれば、ターゲットLMUを決定するとき、測位エンティティは、ネットワークデバイスによって報告された候補LMUにおいてのみ選択および決定を実行することができる。本明細書では、ターゲットLMUを決定するための原理は限定されない。ターゲットLMUは、あらかじめ設定されたアルゴリズム、たとえば、LMUの信号強度をあらかじめ設定されたしきい値と比較するための上記のアルゴリズムに従って決定されてもよい。代替として、ターゲットLMUは、LMUの位置に基づいて決定され得る。代替として、候補LMUは、処理担当者に出力されてもよく、処理担当者は、ターゲットLMUを手動で選択してもよい。
【０１５７】
S6078:測位エンティティは、測定構成情報をターゲットLMUに送信し、測定構成情報は、アップリンク基準信号リソースを保持する。
【０１５８】
好ましい実装シナリオでは、第2の構成情報は、第1のマッピング関係をさらに含む。この場合、測位エンティティは、各アップリンク基準信号リソースに対応するビーム方向をさらに決定することができ、その結果、測位信号がターゲットLMUで誤って受信される場合をある程度回避することができる。このように、第1の構成情報が第2のマッピング関係も含むとき、第1の構成情報は、第2の構成情報と同じであり、第2の構成情報に含まれるすべてのマッピング関係は、アップリンク基準信号リソース、すなわち、LMUである端末によって測定可能なLMUのダウンリンク基準信号の番号情報またはインデックス情報であり得る。
【０１５９】
図10Aおよび図10Bに示される一実装形態では、ネットワークデバイスによって送信される第2の構成情報は、主に、端末が測位信号を送信するアップリンク基準信号リソースと、アップリンク基準信号リソースとLMUとの間の関係とを測位エンティティに通知するために使用される。このようにして、この実装解決策では、測位エンティティは、ターゲットLMUを自由に選択してもよく、具体的には、ターゲットLMUとして測位エンティティの測位要件をより良く満たすLMUを選択することができる。
【０１６０】
図10Aおよび図10Bに示される実装形態は、上記の複数の実装形態のうちのいずれか1つと組み合わせることができ、詳細については再度説明されない。しかしながら、ネットワークデバイスは、最終的に決定された各ターゲットLMUが端末によって送信された測位信号を実際に受信することができるように、第1の構成情報および第2の構成情報を送信し、構成する。このようにして、各ターゲットLMUは、受信モーメントを記録し、受信モーメントを測位エンティティに送信することができ、測位エンティティは、あらかじめ設定されたアルゴリズムに基づいて端末を測位し、それによって、UTDOAベースの端末測位をNRシステムで実施できないという従来技術の問題を解決する。
【０１６１】
上記の実施形態におけるステップまたは動作の一部または全部は、単なる例であることを理解されよう。本出願の実施形態では、様々な動作の他の動作または変形をさらに実行することができる。加えて、ステップは、上記の実施形態において提示された異なる順序で実行されてもよく、上記の実施形態におけるすべての動作が実行される必要がないことがあり得る。
【０１６２】
上記の実施形態において、端末によって実施される動作またはステップは、端末において使用可能な構成要素(たとえば、チップまたは回路)によっても実施され得、コアネットワークノードによって実施される動作またはステップは、コアネットワークノードにおいて使用可能な構成要素(たとえば、チップまたは回路)によっても実施され得、ネットワークデバイスによって実施される動作またはステップは、ネットワークデバイスにおいて使用可能な構成要素(たとえば、チップまたは回路)によっても実施され得ることを理解されよう。
【０１６３】
図11は、通信デバイスの概略構造図である。通信デバイスは、ネットワークデバイスに対応する方法部分、測位エンティティに対応する方法部分、端末に対応する方法部分、または上記の方法実施形態で説明したターゲットLMUに対応する方法部分を実装するように構成され得る。詳細については、上記の方法実施形態の説明を参照されたい。
【０１６４】
通信デバイス1100は、1つまたは複数のプロセッサ1110を含み得る。プロセッサ1110は、処理ユニットとも呼ばれ、特定の制御機能を実装することができる。プロセッサ1110は、汎用プロセッサ、専用プロセッサなどとすることができる。
【０１６５】
オプションの設計では、プロセッサ1110は、代替として、第1の命令を記憶することができ、第1の命令は、通信デバイス1100が、ネットワークデバイス、測位エンティティ、端末、またはターゲットLMUに対応し、上記の方法実施形態で説明された方法を実行するように、プロセッサによって実行され得る。
【０１６６】
本明細書の処理要素は、汎用プロセッサ、たとえば、中央処理装置(Central Processing Unit、CPU)であってもよく、または上記の方法を実行する1つまたは複数の集積回路、たとえば、1つまたは複数の特定用途向け集積回路(Application Specific Integrated Circuit、ASIC)、1つまたは複数のマイクロプロセッサ(digital signal processor、DSP)、1つまたは複数のフィールドプログラマブルゲートアレイ(Field Programmable Gate Array、FPGA)などとして構成されてもよい。記憶要素は、1つのメモリであってもよく、または複数の記憶要素の総称であってもよい。
【０１６７】
別の可能な設計では、通信デバイス1100は、回路を含んでいてもよい。回路は、上記の方法実施形態において、送信、受信、または通信機能を実装してもよい。
【０１６８】
任意選択で、通信デバイス1100は、1つまたは複数のメモリ1120を含むことができ、メモリ1120は、第2の命令または中間データを記憶し、第2の命令は、通信デバイス1100が上記の方法実施形態で説明した方法を実行するように、プロセッサ上で実行され得る。任意選択で、メモリは、他の関連データをさらに記憶し得る。任意選択で、プロセッサは、命令および/またはデータを記憶することもできる。プロセッサおよびメモリは、別々に配置されてもよく、または一体化されてもよい。
【０１６９】
任意選択で、通信デバイス1100は、トランシーバ1130をさらに含むことができる。トランシーバ1130は、トランシーバユニット、トランシーバマシン、トランシーバ回路、トランシーバなどと呼ばれてもよく、通信デバイスの送受信機能を実装するように構成されている。
【０１７０】
通信デバイス1100では、プロセッサ1100と、メモリ1120と、トランシーバ1130とが、バスを使用して接続されている。
【０１７１】
通信デバイス1100が、たとえば、図6A〜図10Bに示される実施形態におけるネットワークデバイスに対応する動作を実装するように構成されているとき、プロセッサは、アップリンク基準信号の第1の構成情報を生成するように構成されてもよく、トランシーバは、第1の構成情報を端末に送信してもよく、トランシーバは、測位エンティティによって送信された測位要求情報を受信するようにさらに構成されてもよい。トランシーバは、さらに、別の対応する通信機能を完了してもよい。プロセッサは、対応する決定または制御動作を完了するように構成されており、任意選択で、対応する命令をメモリにさらに記憶することができる。各構成要素の具体的な処理様式については、上記の実施形態における関連する説明を参照されたい。
【０１７２】
通信デバイス1100が、図6A〜図10Bの測位エンティティに対応する動作を実装するように構成されているとき、たとえば、トランシーバは、ネットワークデバイスに測位要求情報を送信することができ、トランシーバは、ネットワークデバイスによって送信された第2の構成情報を受信することができ、プロセッサは、ターゲットLMUを決定することができ、プロセッサは、候補LMUを決定することができる。トランシーバは、さらに、別の対応する通信機能を完了してもよい。プロセッサは、対応する決定または制御動作を完了するように構成されており、任意選択で、対応する命令をメモリにさらに記憶することができる。各構成要素の具体的な処理様式については、上記の実施形態における関連する説明を参照されたい。
【０１７３】
通信デバイス1100が、図6A〜図10Bに示される実施形態における端末に対応する動作を実装するように構成されているとき、トランシーバは、第1の構成情報を送信し、第1の構成情報に基づいて、アップリンク基準信号(測位信号)を送信するように構成されている。任意選択で、トランシーバは、別の関連する通信動作を完了するようにさらに構成されてもよく、プロセッサは、別の対応する決定または制御動作を完了するように、たとえば、少なくとも1つのセルに関する情報を決定するように、さらに構成されてもよく、任意選択で、対応する命令をメモリにさらに記憶してもよい。各構成要素の具体的な処理様式については、上記の実施形態における関連する説明を参照されたい。
【０１７４】
通信デバイス1100が、図6A〜図10Bに示される実施形態におけるターゲットLMUに対応する動作を実装するように構成されるとき、トランシーバは、測位エンティティによって送信された測定構成情報を受信するように構成され、受信モーメントを測位エンティティに送信するように構成され、プロセッサは、受信モーメントを記録するように構成されている。任意選択で、トランシーバは、別の関連する通信動作を完了するようにさらに構成されてもよく、プロセッサは、別の対応する決定または制御動作を完了するようにさらに構成されてもよく、任意選択で、対応する命令をメモリにさらに記憶してもよい。各構成要素の具体的な処理様式については、上記の実施形態における関連する説明を参照されたい。
【０１７５】
本出願で説明されるプロセッサおよびトランシーバは、集積回路(integrated circuit、IC)、アナログIC、無線周波数集積回路RFIC、ハイブリッド信号IC、特定用途向け集積回路(application specific integrated circuit、ASIC)、プリント回路基板(printed circuit board、PCB)、電子デバイスなどに実装され得る。プロセッサおよびトランシーバは、様々なIC技術、たとえば、相補型金属酸化物半導体(complementary metal oxide semiconductor、CMOS)、n型金属酸化物半導体(n Metal-oxide-semiconductor、NMOS)、p型金属酸化物半導体(positive channel metal oxide semiconductor、PMOS)、バイポーラ接合トランジスタ(Bipolar Junction Transistor、BJT)、バイポーラCMOS(BiCMOS)、シリコンゲルマニウム(SiGe)、およびガリウムヒ素(GaAs)を使用して製造することもできる。
【０１７６】
任意選択で、通信デバイスは、独立したデバイスであってもよく、または比較的大きいデバイスの一部であってもよい。たとえば、デバイスは、
(1)独立した集積回路IC、チップ、またはチップシステムもしくはサブシステム
(2)1つまたは複数のICを有するセットであり、任意選択で、ICセットは、データおよび/または命令を記憶するように構成された記憶構成要素も含み得る
(3)ASIC、たとえばモデム(MSM)
(4)別のデバイスに組み込むことができるモジュール
(5)受信機、端末、携帯電話、ワイヤレスデバイス、ハンドヘルドデバイス、モバイルユニット、ネットワークデバイスなど
(6)別のデバイスなど
であり得る。
【０１７７】
加えて、図12は、本出願の一実施形態による通信デバイスの概略構成図である。図12に示されるように、通信デバイス1200は、生成モジュール1210、および送信モジュール1220を含む。生成モジュール1210は、アップリンク基準信号の第1の構成情報を生成するように構成されており、第1の構成情報は、アップリンク基準信号リソースと第1の情報との間の第1のマッピング関係を含み、第1の情報は、位置測定ユニットLMUのダウンリンク基準信号に関する情報であり、LMUは、サービング基地局以外のLMUである。送信モジュール1220は、第1の構成情報を端末に送信するように構成される。
【０１７８】
図12では、さらに、送信モジュール1220は、第2の構成情報を測位エンティティに送信するようにさらに構成されており、第2の構成情報は、アップリンク基準信号リソースとLMUとの間の第2のマッピング関係を含む。
【０１７９】
本出願では、第1の情報は、端末によって測定されたLMUのダウンリンク基準信号の番号情報またはインデックス情報である。
【０１８０】
任意選択で、通信デバイスは、測位エンティティによって送信された、端末についての測位要求情報を受信するように構成された受信モジュール1230をさらに含む。
【０１８１】
可能な様式で、測位要求情報は、LMUの識別情報を保持する。
【０１８２】
この場合、送信モジュール1220は、第1の測定情報を端末に送信するようにさらに構成されており、第1の測定情報は、第1の情報を取得するために、LMUの識別情報に基づいて、LMU測定を実行するように、端末に指示するために使用され、受信モジュール1230は、端末によって送信された第1の情報を受信するようにさらに構成されている。
【０１８３】
本出願では、LMUの識別情報は、
物理セル識別子PCIと、
セルグローバル識別子ECGIと、
周波数と、
アップリンク補助帯域SULがサポートされているかどうかと
のうちの少なくとも1つを含む。
【０１８４】
別の可能な様式では、送信モジュール1220は、第2の測定情報を端末に送信するようにさらに構成されており、第2の測定情報は、第1の情報を取得するために、端末によって測定可能なすべてのLMUに対してLMU測定を実行するように端末に示すために使用され、受信モジュール1230は、端末によって送信された第1の情報を受信するようにさらに構成されている。
【０１８５】
別の可能な様式では、通信デバイス1200は、端末によって報告された第1の情報が履歴測定情報に存在するかどうかを検出することであり、履歴測定情報は、端末によって以前に測定され、通信デバイスに送信された測定情報である、検出することと、端末によって報告された第1の情報が履歴測定情報に存在する場合、端末によって報告され、履歴測定情報に記録された第1の情報を取得することと、端末によって報告された第1の情報が履歴測定情報に存在しない場合、第1の情報を取得するために、LMU測定を実行するように、端末に指示することとを行うように構成された処理モジュール(図12には図示せず)をさらに含む。
【０１８６】
任意選択で、第1の情報内のLMUは、端末によって測定されたすべてのLMUの一部であり、LMUの信号強度は、あらかじめ設定された信号強度しきい値以上である。
【０１８７】
別の可能な様式では、処理モジュールは、LMUの数が、測位測定に必要なLMUの最小数以上であるかどうかを決定するようにさらに構成されており、この場合、送信モジュール1220は、LMUの数が最小数未満である場合、通知メッセージを測位エンティティに送信するようにさらに構成されており、通知メッセージは、端末の現在の位置が測位条件を満たさないことを測位エンティティに通知するために使用される。
【０１８８】
任意選択で、第2の構成情報は、第1のマッピング関係をさらに含む。
【０１８９】
任意選択で、第1の構成情報は、アップリンク基準信号リソースとLMUとの間の第2のマッピング関係をさらに含む。
【０１９０】
図12に示される実施形態における通信デバイスは、上記の方法実施形態における技術的解決策を実行するように構成され得る。通信デバイスの実装原理および技術的効果については、方法実施形態における関連する説明をさらに参照されたい。任意選択で、通信デバイスは、ネットワークデバイスであってもよく、またはネットワークデバイスの構成要素(たとえば、チップまたは回路)であってもよい。
【０１９１】
図13は、本出願の一実施形態による別の通信デバイスの概略構造図である。図13に示されるように、通信デバイス1300は、送信モジュール1310と、受信モジュール1320と、決定モジュール1330と、測位モジュール1340とを含む。送信モジュール1310は、端末についての測位要求情報をネットワークデバイスに送信するように構成されている。受信モジュール1320は、第2の構成情報を受信するように構成され、第2の構成情報は、アップリンク基準信号リソースと候補位置測定ユニットLMUとの間の第2のマッピング関係を含み、アップリンク基準信号リソースは、端末のためにネットワークデバイスによって構成される。決定モジュール1330は、第2の構成情報に基づいて、候補LMUの中でターゲットLMUを決定するように構成されている。送信モジュール1310は、測定構成情報をターゲットLMUに送信するようにさらに構成されており、測定構成情報は、アップリンク基準信号リソースを保持する。受信モジュール1320は、アップリンク基準信号のものであり、アップリンク基準信号リソース上でターゲットLMUによって測定された受信モーメントを受信するようにさらに構成されている。測位モジュール1340は、受信モーメントに基づいて端末を測位するように構成されている。
【０１９２】
可能な様式では、送信モジュール1310は、具体的に、端末の地理的位置に基づいて、端末に対する測位測定を実行するための候補LMUを決定することと、測位要求情報をネットワークデバイスに送信することであり、測位要求情報は、LMUの識別情報を保持する、送信することとを行うように構成されている。
【０１９３】
具体的には、本出願では、候補LMUの識別情報は、
物理セル識別子PCIと、
セルグローバル識別子ECGIと、
周波数と、
アップリンク補助帯域SULがサポートされているかどうかと
のうちの少なくとも1つを含む。
【０１９４】
任意選択で、第2の構成情報は、アップリンク基準信号リソースと第1の情報との間の第1のマッピング関係をさらに含み、第1の情報は、位置測定ユニットLMUのダウンリンク基準信号に関する情報であり、LMUは、サービング基地局以外のLMUである。
【０１９５】
好ましくは、第1の情報は、LMUのダウンリンク基準信号の番号情報またはインデックス情報である。
【０１９６】
図13に示される実施形態における通信デバイスは、上記の方法実施形態における技術的解決策を実行するように構成され得る。通信デバイスの実装原理および技術的効果については、方法実施形態における関連する説明をさらに参照されたい。任意選択で、通信デバイスは、測位エンティティであってもよく、または測位エンティティの構成要素(たとえば、チップまたは回路)であってもよい。
【０１９７】
図14は、本出願の一実施形態による別の通信デバイスの概略構造図である。図14に示されるように、通信デバイス1400は、受信モジュール1410、および送信モジュール1420を含む。受信モジュール1410は、ネットワークデバイスによって送信された第1の構成情報を受信するように構成されており、第1の構成情報は、アップリンク基準信号リソースと第1の情報との間の少なくとも第1のマッピング関係を含み、第1の情報は、位置測定ユニットLMUのダウンリンク基準信号に関する情報であり、LMUは、サービング基地局以外のLMUである。送信モジュール1420は、第1の情報によって示されるアップリンク基準信号リソース上でアップリンク基準信号を送信するように構成されている。
【０１９８】
任意選択で、第1の構成情報は、アップリンク基準信号リソースとLMUとの間の第2のマッピング関係をさらに含む。
【０１９９】
図14に示される実施形態における通信デバイスは、上記の方法実施形態における技術的解決策を実行するように構成され得る。通信デバイスの実装原理および技術的効果については、方法実施形態における対応する説明をさらに参照されたい。詳細については再度説明しない。任意選択で、通信デバイスは、端末であってもよく、または端末の構成要素(たとえば、チップまたは回路)であってもよい。
【０２００】
図15は、本出願の一実施形態による別の通信デバイスの概略構造図である。図15に示されるように、通信デバイス1500は、受信モジュール1510、記録モジュール1520、および送信モジュール1530を含む。受信モジュール1510は、測位エンティティによって送信された測定構成情報を受信するように構成されており、測定構成情報は、アップリンク基準信号リソースを保持する。受信モジュール1510は、アップリンク基準信号リソース上でアップリンク基準信号を受信するようにさらに構成されている。記録モジュール1520は、アップリンク基準信号の受信モーメントを記録するように構成されている。送信モジュール1530は、受信モーメントを測位エンティティに送信するように構成されている。
【０２０１】
図15に示される実施形態における通信デバイスは、上記の方法実施形態における技術的解決策を実行するように構成され得る。それらの実装原理および技術的効果は同様であり、再度説明しない。通信デバイスは、LMUであってもよく、またはLMUの構成要素(たとえば、チップまたは回路)であってもよい。
【０２０２】
図12〜図15に示される通信デバイスの上記のモジュールへの分割は、単に論理機能分割であることを理解されたい。実際の実装では、モジュールのすべてまたはいくつかは、1つの物理エンティティに統合されてもよく、または物理的に分離されてもよい。加えて、モジュールのすべては、処理要素によって呼び出されるソフトウェアの形態で、またはハードウェアの形態で実装され得る。代替的に、モジュールのいくつかは、処理要素によって呼び出されるソフトウェアの形態で実装されてもよく、モジュールのいくつかは、ハードウェアの形態で実装されてもよい。たとえば、生成モジュールは、独立して配置された処理要素であってもよく、または通信デバイスに統合されてもよい。たとえば、生成モジュールは、ネットワークデバイスのチップに実装される。加えて、生成モジュールは、プログラムの形態で通信デバイスのメモリに記憶されてもよく、通信デバイスの処理要素は、上記のモジュールの機能を呼び出し、実行する。他のモジュールの実装も同様である。加えて、モジュールの全部または一部は、統合されてもよく、または独立して実装されてもよい。本明細書で説明される処理要素は、信号処理能力を有する集積回路であってもよい。実装プロセスでは、方法のステップまたはモジュールは、処理要素内のハードウェア集積論理回路を使用することによって、またはソフトウェアの形態の命令を使用することによって実装することができる。
【０２０３】
たとえば、上記のモジュールは、上記の方法を実施するための1つまたは複数の集積回路、たとえば、1つまたは複数の特定用途向け集積回路(Application Specific Integrated Circuit、ASIC)、1つもしくは複数のマイクロプロセッサ(digital signal processor、DSP)、または1つもしくは複数のフィールドプログラマブルゲートアレイ(Field Programmable Gate Array、FPGA)として構成され得る。別の例では、上記のモジュールのうちの1つが、処理要素によってプログラムをスケジューリングする形態で実装されるとき、処理要素は、汎用プロセッサ、たとえば、中央処理装置(Central Processing Unit、CPU)、またはプログラムを呼び出すことができる別のプロセッサとすることができる。別の例では、これらのモジュールは、システムオンチップ(system-on-a-chip、SOC)の形態で統合され、実装されてもよい。
【０２０４】
本出願の一実施形態は、通信デバイスをさらに提供する。通信デバイスは、端末または回路であってもよい。通信デバイスは、上記の方法実施形態において端末によって実行されるアクションを実行するように構成され得る。
【０２０５】
通信デバイスが端末であるとき、図16は、端末の簡略化された概略構造図である。理解および例示を容易にするために、図16では、端末が携帯電話である例が使用されている。図16に示されるように、端末は、プロセッサと、メモリと、高周波回路と、アンテナと、入出力装置とを含む。プロセッサは、主に、通信プロトコルおよび通信データの処理、端末の制御、ソフトウェアプログラムの実行、ソフトウェアプログラムのデータの処理などを行うように構成されている。メモリは、主に、ソフトウェアプログラムおよびデータを記憶するように構成されている。高周波回路は、主に、ベースバンド信号と無線周波数信号との間の変換を行い、無線周波数信号を処理するように構成されている。アンテナは、主に、電磁波の形態の無線周波数信号を送受信するように構成されている。タッチスクリーン、ディスプレイ、またはキーボードなどの入出力装置は、主に、ユーザによって入力されたデータを受信し、データをユーザに出力するように構成されている。いくつかのタイプの端末は、入出力装置を有していなくてもよいことに留意されたい。
【０２０６】
プロセッサは、データを送信する必要があるとき、送信するデータに対してベースバンド処理を行い、ベースバンド信号を高周波回路に出力する。高周波回路は、ベースバンド信号に対して無線周波処理を実行した後、アンテナを介して電磁波形態の無線周波数信号を送信する。データが端末に送信されると、高周波回路は、アンテナを介して無線周波数信号を受信し、無線周波数信号をベースバンド信号に変換し、ベースバンド信号をプロセッサに出力する。プロセッサは、ベースバンド信号をデータに変換し、データを処理する。説明を容易にするために、図16には1つのメモリと1つのプロセッサのみが示されている。実際の端末製品では、1つまたは複数のプロセッサおよび1つまたは複数のメモリが存在し得る。メモリは、記憶媒体、記憶デバイスなどと呼ばれることもある。メモリは、プロセッサから独立して配置されてもよく、またはプロセッサと統合されてもよい。これは、本出願のこの実施形態では限定されない。
【０２０７】
本出願のこの実施形態では、アンテナおよびトランシーバ機能を有する高周波回路は、端末のトランシーバユニットと見なされ、処理機能を有するプロセッサは、端末の処理ユニットと見なされ得る。図16に示されるように、端末は、トランシーバユニット1610および処理ユニット1620を含む。トランシーバユニットは、トランシーバ、トランシーバマシン、トランシーバ装置などと呼ばれることもある。処理ユニットは、プロセッサ、処理ボード、処理モジュール、処理装置などと呼ばれることもある。任意選択で、トランシーバユニット1610内にあり、受信機能を実装するように構成された構成要素は、受信ユニットと見なされてもよく、トランシーバユニット1610内にあり、送信機能を実装するように構成された構成要素は、送信ユニットと見なされてもよい。言い換えれば、トランシーバユニット1610は、受信ユニットと送信ユニットとを含む。トランシーバユニットは、トランシーバ、トランシーバマシン、トランシーバ回路などと呼ばれることもある。受信ユニットは、受信機、受信機マシン、受信機回路などと呼ばれることもある。送信ユニットは、送信機、送信機マシン、送信機回路などと呼ばれることもある。
【０２０８】
上記の方法実施形態では、トランシーバユニット1610は、端末側で送信動作および受信動作を実行するように構成されており、処理ユニット1620は、端末側で送信動作および受信動作以外の動作を実行するように構成されていることを理解されたい。
【０２０９】
たとえば、一実装形態では、トランシーバユニット1610は、図6Aおよび図6BのS608において端末側で受信動作を実行するように構成され、図6Aおよび図6BのS610において端末側で送信動作を実行するように構成され、および/またはトランシーバユニット1610は、本出願のこの実施形態では、端末側で別の送受信ステップを実行するようにさらに構成される。処理ユニット1620は、上記の実装手順のいずれか1つにおいて、S608およびS610に加えてステップを実行するように構成され、および/または、処理ユニット1620は、本出願のこの実施形態において、端末側で別の処理ステップを実行するようにさらに構成される。
【０２１０】
別の例として、別の実装形態では、トランシーバユニット1610は、図7Aおよび図7BのS60314およびS608において端末側で受信動作を実行するように構成され、図7Aおよび図7BのS60316およびS610において端末側で送信動作を実行するように構成され、および/またはトランシーバユニット1620は、本出願のこの実施形態では、端末側で別の送受信ステップを実行するようにさらに構成される。処理ユニット1620は、図7Aおよび図7BのS60314において端末側で測定ステップを実行するように構成され、および/または処理ユニット1620は、本出願のこの実施形態において、端末側で別の処理ステップを実行するようにさらに構成される。
【０２１１】
さらに別の例として、さらに別の実装形態では、トランシーバユニット1610は、図8Aおよび図8BのS60324およびS608において端末側で受信動作を実行するように構成され、図8Aおよび図8BのS60326およびS610において端末側で送信動作を実行するように構成され、および/またはトランシーバユニット1610は、本出願のこの実施形態では、端末側で別の送受信ステップを実行するようにさらに構成される。処理ユニット1620は、図8Aおよび図8BのS60324において端末側で測定ステップを実行するように構成され、および/または処理ユニット1620は、本出願のこの実施形態において、端末側で別の処理ステップを実行するようにさらに構成される。
【０２１２】
さらに別の例として、さらに別の実装形態では、トランシーバユニット1610は、図10Aおよび図10BのS608において端末側で受信動作を実行するように構成され、または図10Aおよび図10BのS610において端末側で送信動作を実行するように構成され、および/またはトランシーバユニット1110は、本出願のこの実施形態では、端末側で別の送受信ステップを実行するようにさらに構成される。処理ユニット1620は、本出願のこの実施形態では、端末側で他の処理ステップを実行するようにさらに構成される。
【０２１３】
通信デバイスがチップであるとき、チップは、トランシーバユニットおよび処理ユニットを含む。トランシーバユニットは、入出力回路または通信インターフェースであってもよい。処理ユニットは、チップ上に集積されたプロセッサ、マイクロプロセッサ、または集積回路である。
【０２１４】
この実施形態における通信デバイスが端末であるとき、図17に示されるデバイスを参照されたい。一例では、デバイスは、図11のプロセッサ1110の機能と同様の機能を実装することができる。図17において、デバイスは、プロセッサ1710、データ送信プロセッサ1720、およびデータ受信プロセッサ1730を含む。上記の実施形態における処理モジュール1110は、図17のプロセッサ1710であってもよく、対応する機能を完了する。上記の実施形態におけるトランシーバモジュール1130は、図17のデータ送信プロセッサ1720および/またはデータ受信プロセッサ1730であってもよい。図17は、チャネルエンコーダおよびチャネルデコーダを示しているが、これらのモジュールは、この実施形態に対する限定を構成するものではなく、単なる例であることを理解されたい。
【０２１５】
図18は、この実施形態の別の形態を示している。処理装置1800は、変調サブシステム、中央処理サブシステム、および周辺サブシステムなどのモジュールを含む。この実施形態における通信デバイスは、処理装置1800における変調サブシステムとして使用されてもよい。具体的には、変調サブシステムは、プロセッサ1803およびインターフェース1804を含み得る。プロセッサ1803は、処理モジュール1110の機能を実装し、インターフェース1804は、トランシーバモジュール1130の機能を実装する。別の変形例では、変調サブシステムは、メモリ1806と、プロセッサ1803と、メモリ1806に記憶され、プロセッサ上で実行することができるプログラムとを含む。プロセッサ1803は、プログラムを実行するとき、上記の方法実施形態における端末側の方法を実施する。メモリ1806は、不揮発性であってもよいし、揮発性であってもよいことに留意されたい。メモリ1806は、プロセッサ1803に接続可能という条件で、変調サブシステムに配置されてもよいし、処理装置1800に配置されてもよい。
【０２１６】
この実施形態の別の形態では、コンピュータ可読記憶媒体が提供される。コンピュータ可読記憶媒体は、命令を記憶し、命令が実行されると、上記の方法実施形態における端末側の方法が実行される。
【０２１７】
この実施形態の別の形態では、命令を含むコンピュータプログラム製品が提供される。命令が実行されると、上記の方法実施形態における端末側の方法が実行される。
【０２１８】
加えて、本出願の一実施形態は、コンピュータ可読記憶媒体をさらに提供する。コンピュータ可読記憶媒体は、コンピュータプログラムを記憶する。コンピュータプログラムがコンピュータ上で実行されると、コンピュータは、上記の実施形態における情報処理方法を実行することができる。
【０２１９】
加えて、本出願の一実施形態は、コンピュータプログラム製品をさらに提供する。コンピュータプログラム製品は、コンピュータプログラムを含む。コンピュータプログラムがコンピュータ上で実行されると、コンピュータは、上記の実施形態における情報処理方法を実行することができる。
【０２２０】
上記の実施形態の全部または一部は、ソフトウェア、ハードウェア、ファームウェア、またはそれらの任意の組合せを使用することによって実装され得る。ソフトウェアを使用して実施形態を実施するとき、実施形態の全部または一部は、コンピュータプログラム製品の形態で実施され得る。コンピュータプログラム製品は、1つまたは複数のコンピュータ命令を含む。コンピュータプログラム命令がコンピュータにロードされ実行されると、本出願による手順または機能が全部または一部生成される。コンピュータは、汎用コンピュータ、専用コンピュータ、コンピュータネットワーク、または他のプログラマブル装置とすることができる。コンピュータ命令は、コンピュータ可読記憶媒体に記憶されてもよく、またはコンピュータ可読記憶媒体から別のコンピュータ可読記憶媒体に送信されてもよい。たとえば、コンピュータ命令は、ウェブサイト、コンピュータ、サーバ、またはデータセンターから別のウェブサイト、コンピュータ、サーバ、またはデータセンターに有線(たとえば、同軸ケーブル、光ファイバ、またはデジタル加入者回線)、またはワイヤレス(たとえば、赤外線、ラジオ、マイクロ波など)の様式で送信されてもよい。コンピュータ可読記憶媒体は、コンピュータによってアクセス可能な任意の使用可能な媒体、または1つもしくは複数の使用可能な媒体を統合したサーバまたはデータセンターなどのデータ記憶デバイスとすることができる。使用可能な媒体は、磁気媒体(たとえば、フロッピー（登録商標）ディスク、ハードディスク、または磁気テープ)、光学媒体(たとえば、DVD)、半導体媒体(たとえば、ソリッドステートドライブSolid State Disk)などであり得る。
【符号の説明】
【０２２１】
1  端末
2  端末
3  端末
4  端末
5  端末
6  端末
1100  通信デバイス
1110  プロセッサ
1120  メモリ
1130  トランシーバ
1200  通信デバイス
1210  生成モジュール
1220  送信モジュール
1230  受信モジュール
1300  通信デバイス
1310  送信モジュール
1320  受信モジュール
1330  決定モジュール
1340  測位モジュール
1400  通信デバイス
1410  受信モジュール
1420  送信モジュール
1500  通信デバイス
1510  受信モジュール
1520  記録モジュール
1530  送信モジュール
1610  トランシーバユニット
1620  処理ユニット
1710  プロセッサ
1720  データ送信プロセッサ
1730  データ受信プロセッサ
1800  処理装置
1803  プロセッサ
1804  インターフェース
1806  メモリ
【図１】
2022501949.tif 000004
【図２】
2022501949.tif 000005
【図３】
2022501949.tif 000006
【図４】
2022501949.tif 000007
【図５】
2022501949.tif 000008
【図６Ａ】
2022501949.tif 000009
【図６Ｂ】
2022501949.tif 000010
【図７Ａ】
2022501949.tif 000011
【図７Ｂ】
2022501949.tif 000012
【図８Ａ】
2022501949.tif 000013
【図８Ｂ】
2022501949.tif 000014
【図９】
2022501949.tif 000015
【図１０Ａ】
2022501949.tif 000016
【図１０Ｂ】
2022501949.tif 000017
【図１１】
2022501949.tif 000018
【図１２】
2022501949.tif 000019
【図１３】
2022501949.tif 000020
【図１４】
2022501949.tif 000021
【図１５】
2022501949.tif 000022
【図１６】
2022501949.tif 000023
【図１７】
2022501949.tif 000024
【図１８】
2022501949.tif 000025
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
情報処理方法であって、
ネットワークデバイスによって、アップリンク基準信号の第1の構成情報を生成するステップであり、前記第1の構成情報は、アップリンク基準信号リソースと第1の情報との間の第1のマッピング関係を含み、前記第1の情報は、位置測定ユニットのダウンリンク基準信号に関する番号情報またはインデックス情報であり、前記位置測定ユニットは、前記ネットワークデバイス以外の位置測定ユニットである、生成するステップと、
前記ネットワークデバイスによって、前記第1の構成情報を端末デバイスに送信するステップと
を含む情報処理方法。
【請求項２】
前記方法は、
前記ネットワークデバイスによって、第2の構成情報を測位エンティティに送信するステップであり、前記第2の構成情報は、前記アップリンク基準信号リソースと前記位置測定ユニットとの間の第2のマッピング関係を含む、送信するステップ
をさらに含む、請求項1に記載の方法。
【請求項３】
前記ダウンリンク基準信号は、前記端末デバイスによって測定される、請求項1または2に記載の方法。
【請求項４】
前記方法は、
前記測位エンティティからの、前記端末デバイスについての測位要求情報を、前記ネットワークデバイスによって受信するステップ
をさらに含む、請求項2に記載の方法。
【請求項５】
前記測位要求情報は、前記位置測定ユニットの識別情報を保持する、請求項4に記載の方法。
【請求項６】
前記第1の構成情報は、前記アップリンク基準信号リソースと前記位置測定ユニットとの間の第2のマッピング関係をさらに含む、請求項1から5のいずれか一項に記載の方法。
【請求項７】
前記位置測定ユニットの識別情報は、
物理セル識別子(PCI)と、
セルグローバル識別子と、
周波数と、
補助アップリンク(SUL)帯域がサポートされているかどうかと、
ダウンリンク基準信号のシーケンス番号と
のうちの少なくとも1つを含む、請求項5に記載の方法。
【請求項８】
前記アップリンク基準信号はサウンディング基準信号(SRS)であり、前記アップリンク基準信号リソースはSRSリソースである、請求項1から7のいずれか一項に記載の方法。
【請求項９】
前記第1のマッピング関係は、前記第2のマッピング関係を含む、請求項2または6に記載の方法。
【請求項１０】
情報処理方法であって、
測位エンティティによって、端末デバイスについての測位要求情報をネットワークデバイスに送信するステップと、
前記測位エンティティによって、第2の構成情報を受信するステップであり、前記第2の構成情報は、アップリンク基準信号リソースと位置測定ユニットとの間の第2のマッピング関係を含み、前記アップリンク基準信号リソースは、前記端末デバイスのために前記ネットワークデバイスによって構成される、受信するステップであり、前記第2の構成情報は、アップリンク基準信号リソースと第1の情報との間の第1のマッピング関係を含み、前記第1の情報は、位置測定ユニットのダウンリンク基準信号に関する番号情報またはインデックス情報である、受信するステップと、
前記測位エンティティによって、前記第2の構成情報に基づいて、候補位置測定ユニットの中でターゲット位置測定ユニットを決定するステップと、
前記測位エンティティによって、測定構成情報を前記ターゲット位置測定ユニットに送信するステップであり、前記測定構成情報は、前記アップリンク基準信号リソースを保持する、送信するステップと、
前記測位エンティティによって、アップリンク基準信号のものであり、前記アップリンク基準信号リソース上で前記ターゲット位置測定ユニットによって測定された受信モーメントを受信するステップと、
前記測位エンティティによって、前記受信モーメントに基づいて前記端末デバイスを測位するステップと
を含む情報処理方法。
【請求項１１】
前記位置測定ユニットの識別情報は、
物理セル識別子(PCI)と、
セルグローバル識別子と、
周波数と、
補助アップリンク(SUL)帯域がサポートされているかどうかと、
ダウンリンク基準信号のシーケンス番号と
のうちの少なくとも1つを含む、請求項10に記載の方法。
【請求項１２】
情報処理方法であって、
ネットワークデバイスから第1の構成情報を受信するステップであり、前記第1の構成情報は、アップリンク基準信号リソースと第1の情報との間の少なくとも第1のマッピング関係を含み、前記第1の情報は、位置測定ユニットのダウンリンク基準信号に関する番号情報またはインデックス情報であり、前記位置測定ユニットは、前記ネットワークデバイス以外の位置測定ユニットである、受信するステップと、
前記第1の構成情報に基づいてアップリンク基準信号を送信するステップと
を含む情報処理方法。
【請求項１３】
前記第1の構成情報は、前記アップリンク基準信号リソースと前記位置測定ユニットとの間の第2のマッピング関係をさらに含む、請求項12に記載の方法。
【請求項１４】
前記ダウンリンク基準信号は、端末デバイスによって測定される、請求項12または13に記載の方法。
【請求項１５】
前記位置測定ユニットの識別情報は、
物理セル識別子(PCI)と、
セルグローバル識別子と、
周波数と、
補助アップリンク(SUL)帯域がサポートされているかどうかと、
ダウンリンク基準信号のシーケンス番号と
のうちの少なくとも1つを含む、請求項12から14のいずれか一項に記載の方法。
【請求項１６】
前記第1の構成情報に基づいてアップリンク基準信号を送信する前記ステップは、
前記第1の構成情報における第1のマッピング関係に基づいて、前記第1のマッピング関係に含まれるアップリンク基準信号リソース上で、前記アップリンク基準信号リソースに対応する第1の情報によって示されるビーム方向に、前記アップリンク基準信号を送信するステップ
を含む、請求項12から15のいずれか一項に記載の方法。
【請求項１７】
前記アップリンク基準信号はサウンディング基準信号(SRS)であり、前記アップリンク基準信号リソースはSRSリソースである、請求項12から16のいずれか一項に記載の方法。
【請求項１８】
前記第1のマッピング関係は、前記第2のマッピング関係を含む、請求項13に記載の方法。
【請求項１９】
情報処理方法であって、
測位エンティティから測定構成情報を受信するステップであり、前記測定構成情報は、アップリンク基準信号リソースを保持する、受信するステップであり、前記測定構成情報は、アップリンク基準信号リソースと第1の情報との間の第1のマッピング関係を含み、前記第1の情報は、位置測定ユニットのダウンリンク基準信号に関する番号情報またはインデックス情報である、受信するステップと、
前記アップリンク基準信号リソースに基づいてアップリンク基準信号を受信し、受信モーメントを記録するステップと、
前記受信モーメントを前記測位エンティティに送信するステップと
を含む情報処理方法。
【請求項２０】
前記情報処理方法は、位置測定ユニットによって実行され、前記位置測定ユニットは、ネットワークデバイスに統合される、請求項19に記載の方法。
【請求項２１】
前記測定構成情報は、前記アップリンク基準信号リソースと前記位置測定ユニットの識別情報との間の第2のマッピング関係をさらに含む、請求項19または20に記載の方法。
【請求項２２】
前記位置測定ユニットの識別情報は、
物理セル識別子(PCI)と、
セルグローバル識別子と、
周波数と、
補助アップリンク(SUL)帯域がサポートされているかどうかと、
ダウンリンク基準信号のシーケンス番号と
のうちの少なくとも1つを含む、請求項21に記載の方法。
【請求項２３】
前記第1のマッピング関係は、前記第2のマッピング関係を含む、請求項21から22のいずれか一項に記載の方法。
【請求項２４】
請求項1から9のいずれか一項に記載のステップを実行するように構成されたネットワークデバイス。
【請求項２５】
請求項10または11に記載のステップを実行するように構成された測位エンティティ。
【請求項２６】
請求項12から18のいずれか一項に記載のステップを実行するように構成された端末デバイス。
【請求項２７】
請求項19から23のいずれか一項に記載のステップを実行するように構成された位置測定ユニット。
【請求項２８】
コンピュータ可読記憶媒体であって、コンピュータプログラムを記憶し、前記コンピュータプログラムがコンピュータ上で実行されると、前記コンピュータは、請求項1から9のいずれか一項に記載の方法を実行することができる、コンピュータ可読記憶媒体。
【請求項２９】
コンピュータ可読記憶媒体であって、コンピュータプログラムを記憶し、前記コンピュータプログラムがコンピュータ上で実行されると、前記コンピュータは、請求項10または11に記載の方法を実行することができる、コンピュータ可読記憶媒体。
【請求項３０】
コンピュータ可読記憶媒体であって、コンピュータプログラムを記憶し、前記コンピュータプログラムがコンピュータ上で実行されると、前記コンピュータは、請求項12から18のいずれか一項に記載の方法を実行することができる、コンピュータ可読記憶媒体。
【請求項３１】
コンピュータ可読記憶媒体であって、コンピュータプログラムを記憶し、前記コンピュータプログラムがコンピュータ上で実行されると、前記コンピュータは、請求項19から23のいずれか一項に記載の方法を実行することができる、コンピュータ可読記憶媒体。
【手続補正２】
【補正対象書類名】明細書
【補正対象項目名】０００３
【補正方法】変更
【補正の内容】
【０００３】
基地局は、一般に、アップリンク到着時間差(Uplink Time Difference Of Arrival、UTDOA)測位方法を使用することによって、端末を測位する。この方法では、複数の位置測定ユニット(Location Measurement Unit、LMU)が、端末によって送信された測位信号の到着モーメントを測定し、その到着モーメントを測位エンティティに送信する。このようにして、測位エンティティは、到着モーメントの時間差に基づいて端末を測位する。
【手続補正３】
【補正対象書類名】明細書
【補正対象項目名】００５１
【補正方法】変更
【補正の内容】
【００５１】
第13の態様によれば、本出願の一実施形態は、第5の態様、第6の態様、第7の態様、または第8の態様に記載の通信デバイスを含む通信システムをさらに提供する。
【手続補正４】
【補正対象書類名】明細書
【補正対象項目名】０１０８
【補正方法】変更
【補正の内容】
【０１０８】
次に、S604における第1の構成情報に含まれる第1のマッピング関係について具体的に説明する。
【手続補正５】
【補正対象書類名】明細書
【補正対象項目名】０１１０
【補正方法】変更
【補正の内容】
【０１１０】
実装シナリオでは、第1の情報は、端末によって測定することができるLMUのダウンリンク基準信号の番号情報またはインデックス情報とすることができる。たとえば、第1の情報は、LMU1のビーム番号またはビームインデックスであってもよい。この場合、端末が測定を介してLMUのダウンリンク基準信号を取得することができる場合、LMUのダウンリンク基準信号に対応する1つまたは複数のビーム方向に送信されたデータが端末によって受信され得ることを示し、端末は、ビーム方向の数またはインデックスを決定することができる。このようにして、端末が測位信号を送信する必要があるとき、端末がビーム番号に対応する1つまたは複数のビーム方向にデータを送信することを条件として、LMUによってデータを受信することができる。
【手続補正６】
【補正対象書類名】明細書
【補正対象項目名】０１１９
【補正方法】変更
【補正の内容】
【０１１９】
S60314:端末は、第1の測定情報を受信し、候補LMUの識別情報に基づいて測定を実行し、第1の情報を取得する。
【手続補正７】
【補正対象書類名】明細書
【補正対象項目名】０１３６
【補正方法】変更
【補正の内容】
【０１３６】
加えて、本出願は、2つの実装のうちのさらなる実装をさらに提供する。LMU測定を実行した(LMUの識別情報に基づいてLMU測定を実行した、または端末によって測定可能なすべてのLMUの範囲内でLMU測定を実行した)後、端末は、第1の情報として、測定されたすべてのLMU内のいくつかのLMUに関する情報を選択し、第1の情報に対応するいくつかのLMUの信号の強度は、あらかじめ設定された信号強度しきい値以上である。端末は、信号強度に基づいて測定されたLMUをフィルタリングし、測位測定に使用することができるLMUとして、比較的高い信号強度を有するいくつかのLMUのみを使用して、測位測定プロセスにおける信号強度に起因して受信モーメントが影響を受ける場合を回避する。
【手続補正８】
【補正対象書類名】明細書
【補正対象項目名】０１４５
【補正方法】変更
【補正の内容】
【０１４５】
加えて、図9に示される実装形態は、一実装形態をさらに有することができ、ネットワークデバイスは、代替として、端末によって報告され、LMUの信号強度に基づいて取得された履歴測定情報に記録されるすべてのLMU情報から、信号強度があらかじめ設定された信号強度しきい値以上であるいくつかのLMUを選択し、選択されたいくつかのLMUに関する情報を第1の情報として使用し、第1の情報に基づいて第1の構成情報を生成し得る。
【手続補正９】
【補正対象書類名】明細書
【補正対象項目名】０１４６
【補正方法】変更
【補正の内容】
【０１４６】
第1の情報を取得する上記の3つの様式に加えて、実装シナリオでは、NがUTDOA測位測定に必要とされるLMUの最小数である場合、UTDOAベースの測位測定が、一般に、少なくともN個のLMUによってフィードバックされる受信モーメントを必要とすることを考慮して、実際の実装中に、ネットワークデバイスは、第1の情報に対応するLMUの数が最小数を満たすかどうかをさらに検証し得る。
【手続補正１０】
【補正対象書類名】明細書
【補正対象項目名】０１５０
【補正方法】変更
【補正の内容】
【０１５０】
確かに、実装シナリオでは、第1の構成情報は、代替として、第2のマッピング関係を保持することができ、第2のマッピング関係は、アップリンク基準信号リソースとLMUとの間のマッピング関係である。たとえば、第2のマッピング関係は、アップリンク基準信号リソースとLMUの識別情報との間のマッピング関係であってもよい。別の例では、第2のマッピング関係は、アップリンク基準信号リソースとLMUの数との間のマッピング関係であってもよい。この実装シナリオでは、第1の構成情報に含まれるマッピング関係は、アップリンク基準信号リソース、すなわち、LMUである端末によって測定可能なLMUのダウンリンク基準信号の番号情報またはインデックス情報であってもよい。この場合、端末は、第1の構成情報に基づいて、端末によって送信された測位信号の受信機およびビーム方向を決定することができる。これは、より的を絞ったものである。
【手続補正１１】
【補正対象書類名】明細書
【補正対象項目名】０１５８
【補正方法】変更
【補正の内容】
【０１５８】
実装シナリオでは、第2の構成情報は、第1のマッピング関係をさらに含む。この場合、測位エンティティは、各アップリンク基準信号リソースに対応するビーム方向をさらに決定することができ、その結果、測位信号がターゲットLMUで誤って受信される場合をある程度回避することができる。このように、第1の構成情報が第2のマッピング関係も含むとき、第1の構成情報は、第2の構成情報と同じであり、第2の構成情報に含まれるすべてのマッピング関係は、アップリンク基準信号リソース、すなわち、LMUである端末によって測定可能なLMUのダウンリンク基準信号の番号情報またはインデックス情報であり得る。
【手続補正１２】
【補正対象書類名】明細書
【補正対象項目名】０１７５
【補正方法】変更
【補正の内容】
【０１７５】
本出願で説明されるプロセッサおよびトランシーバは、集積回路(integrated circuit、IC)、アナログIC、無線周波数集積回路RFIC、ハイブリッド信号IC、特定用途向け集積回路(application specific integrated circuit、ASIC)、プリント回路基板(printed circuit board、PCB)、電子デバイスなどに実装され得る。プロセッサおよびトランシーバは、様々なIC技術、たとえば、相補型金属酸化物半導体(complementary metal oxide semiconductor、CMOS)、n型金属酸化物半導体(n-type Metal-oxide-semiconductor、NMOS)、p型金属酸化物半導体(p-type channel metal oxide semiconductor、PMOS)、バイポーラ接合トランジスタ(Bipolar Junction Transistor、BJT)、バイポーラCMOS(BiCMOS)、シリコンゲルマニウム(SiGe)、およびガリウムヒ素(GaAs)を使用して製造することもできる。
【国際調査報告】
2022501949.tif 000026
2022501949.tif 000027
2022501949.tif 000028
2022501949.tif 000029